(57)【要約】【課題】コネクタに不要な負荷がかかる可能性を低減することができる、通電装置を提供する。【解決手段】この通電装置は、コネクタ挿入口が形成された所定面を有する電子機器を支持し、当該電子機器と通電を行うことが可能な通電装置であって、前側及び後側を有するハウジングと、前記ハウジングから突出し、前記コネクタ挿入口に挿入可能なコネクタと、前記コネクタよりも前記後側に位置する第１軸線周りに、当該コネクタを回動させる回動機構と、を備えている。【選択図】図８
2019154147.tif 000002
【特許請求の範囲】
【請求項１】
コネクタ挿入口が形成された所定面を有する電子機器を支持し、当該電子機器と通電を行うことが可能な通電装置であって、
前側及び後側を有するハウジングと、
前記ハウジングから突出し、前記コネクタ挿入口に挿入可能なコネクタと、
前記コネクタよりも前記後側に位置する第１軸線周りに、当該コネクタを回動させる回動機構と、
を備える、通電装置。
【請求項２】
前記回動機構は、
前記コネクタが前記電子機器の前記コネクタ挿入口に挿入されている場合において、前記所定面の後端から延びる当該電子機器の背面に対向する対向面をさらに備え、
前記対向面は、前記コネクタよりも前記後側に配置され、前記コネクタの突出方向と実質的に平行に延びる、請求項１に記載の通電装置。
【請求項３】
前記対向面は、前記回動機構によって、前記コネクタとともに回動可能に構成されている、請求項２に記載の通電装置。
【請求項４】
前記電子機器は、
前記所定面及び前記背面の交差部分から、上方に延びる凹部を有し、
前記回動機構は、
前記対向面を有し、前記凹部に少なくとも一部が挿入可能なガイド部を備える、請求項２または３に記載の通電装置。
【請求項５】
前記電子機器は、
前記所定面及び前記背面の交差部分から、上方に延びる凹部を有し、
前記回動機構は、
前記対向面から前記前側に突出し、前記凹部に少なくとも一部が挿入可能なガイド部を有する、請求項２または３に記載の通電装置。
【請求項６】
前記コネクタと通電する基板と、
前記基板における前記後側の後端部から延びるケーブルと、
をさらに備えており、
前記基板は、前記回動機構により、前記コネクタとともに回動可能に支持されており、
前記第１軸線は、前記基板の後端部近傍に位置している、請求項１から５のいずれかに記載の通電装置。
【請求項７】
前記回動機構は、前記コネクタ挿入口に対する前記コネクタの挿入方向に向かって、前記コネクタを付勢するように構成された弾性部材を備えている、請求項１から６のいずれかに記載の通電装置。
【請求項８】
前記電子機器は、前記所定面の前端から延びる前面を有しており、
前記ハウジングは、前記電子機器の所定面と対向する支持面を有し、
前記支持面は、前記コネクタ挿入口に挿入された前記コネクタを当該コネクタ挿入口から取り外す場合に、前記電子機器の前記所定面及び前記前面の交差部分が当接可能に構成されている、請求項１から７のいずれかに記載の通電装置。
【請求項９】
前記ハウジングは、
前記電子機器の所定面と対向する面を有する基台部と、
前記基台部の前記面から延びる前面を有する延在部と、
を有し、
前記基台部と前記延在部とが側面視で交差するように構成され、
前記コネクタが、前記基台部の前記面の前端と前記前面の上端とを結ぶ仮想面よりも前記ハウジング側に配置されている、請求項１から７のいずれかに記載の通電装置。
【請求項１０】
前記基台部と前記延在部とは、側面視でＬ字状をなすように構成されている、請求項９に記載の通電装置。
【請求項１１】
前記ハウジングは、
前記電子機器の所定面と対向する面を有する基台部と、
前記基台部の前記面から延びる前面、及び当該前面とは反対側の背面を有する延在部と、
を備え、
前記通電装置は、
前記延在部の背面側に取り付けられたスタンド部材と、
前記ハウジングに対して前記スタンド部材を、第２軸線周りに回動可能に連結し、前記スタンド部材と前記ハウジングとの角度を調整可能とする連結機構と、
をさらに備えている、請求項１から１０のいずれかに記載の通電装置。
【請求項１２】
前記連結機構は、
前記スタンド部材と前記ハウジングとを着脱自在に連結し、
前記スタンド部材と前記ハウジングとの間の角度が所定角度以上となったときに、前記スタンド部材を前記ハウジングから離脱するように構成されている、請求項１１に記載の通電装置。
【請求項１３】
前記スタンド部材には、当該スタンド部材と前記ハウジングとの間の角度が前記所定角度となった場合、前記第２軸線より上方の部位が、前記ハウジングに当接するように構成されている、請求項１２に記載の通電装置。
【請求項１４】
前記連結機構は、
前記ハウジングに設けられた連結部と、
前記スタンド部材に設けられ、前記連結部の前記第２軸線方向における両端部を挟むように、当該連結部に着脱可能に固定される一対の固定部と、
を備えている、請求項１１から１３のいずれかに記載の通電装置。
【請求項１５】
前記連結機構は、前記スタンド部材において、前記一対の固定部の間に設けられ、前記連結部に係合可能な係合部をさらに備えている、請求項１４に記載の通電装置。
【請求項１６】
前記各固定部及び前記連結部の固定状態において、互いに接する部分の少なくとも一方には、傾斜部が形成されており、
前記各固定部及び前記連結部は、前記傾斜部をスライドした後、固定状態となるように構成されている、請求項１４または１５に記載の通電装置。
【請求項１７】
前記連結機構は、
前記延在部に設けられる第１部位と、
前記連結部を有する第２部位と、
前記第１部位と前記第２部位とを連結し、当該前記第１部位及び第２部位を互いに前記第２軸線周りに回動可能とするヒンジ部と、
を備えている、請求項１４から１６のいずれかに記載の通電装置。
【請求項１８】
前記第１部位及び第２部位を形成する材料は、前記ハウジングを形成する材料よりも剛性が高い、請求項１７に記載の通電装置。
【請求項１９】
前記第１部位及び第２部位は、ガラス繊維を含む樹脂材料で形成され、少なくとも一部が前記ハウジングに収容されている、請求項１８に記載の通電装置。
【請求項２０】
前記電子機器のコネクタ挿入口に前記コネクタが挿入された場合に、前記電子機器の充電が可能であるように構成されている、請求項１から１９のいずれかに記載の通電装置。
【発明の詳細な説明】
【技術分野】
【０００１】
本発明は、コネクタ挿入口が形成された所定面を有する電子機器を支持し、当該電子機器と通電を行うことが可能な通電装置に関する。
【背景技術】
【０００２】
携帯用のゲームシステムは、例えば、特許文献１に記載のようなクレードルと称する通電装置に支持されるように構成されている。このクレードルは、上方に突出するコネクタを有しており、このコネクタが、ゲームシステムの下面に形成されたコネクタ挿入口に挿入されることで、通電が行われる。
【先行技術文献】
【特許文献】
【０００３】
【特許文献１】特開２０１７−８５７４３号公報
【発明の概要】
【発明が解決しようとする課題】
【０００４】
ところで、コネクタがコネクタ挿入口に挿入された状態から、ゲームシステムを通電装置から取り外すには、ゲーム装置をコネクタの挿入方向と平行に引き上げればよい。しかしながら、例えば、もしゲームシステムを前方に傾けるようにして通電装置から取り外せることができるような場合には、コネクタに不要な負荷がかかる可能性もある。なお、このような問題は、ゲームシステムに限られるものではなく、通電装置とコネクタを介して通電を行う種々の電子機器にも生じうる問題である。
【０００５】
本発明は、この問題を解決するためになされたものであり、コネクタに不要な負荷がかかる可能性を低減することができる、通電装置を提供することを目的とする。
【課題を解決するための手段】
【０００６】
この通電装置は、コネクタ挿入口が形成された所定面を有する電子機器を支持し、当該電子機器と通電を行うことが可能な通電装置であって、前側及び後側を有するハウジングと、前記ハウジングから突出し、前記コネクタ挿入口に挿入可能なコネクタと、前記コネクタよりも前記後側に位置する第１軸線周りに、当該コネクタを回動させる回動機構と、を備えるように構成することができる。
【０００７】
なお、前側、後側とはハウジングを基準に設定されるものであり、ハウジングが傾斜して配置されたとしても、その位置関係が変るものではない。
【０００８】
この構成によれば、コネクタが、これよりも後側に位置する第１軸線周りに回動可能に支持されている。そのため、例えば、コネクタ挿入口にコネクタが挿入された状態で、ユーザが電子機器を前側に傾斜させながら、通電装置から取り外そうとすると、電子機器の傾斜とともに、コネクタが回動する。そして、コネクタは回動の過程で、電子機器とともに前側に傾斜しつつ下方（すなわち、コネクタの挿入方向とは反対方向）に移動するため、コネクタはコネクタ挿入口から離脱していく。そのため、電子機器を前側に傾斜させて取り外す場合であっても、コネクタに不要な負荷がかかる可能性を低減することができる。
【０００９】
上記通電装置において、前記回動機構は、前記コネクタが前記電子機器の前記コネクタ挿入口に挿入されている場合において、前記所定面の後端から延びる前記通電装置の背面に対向する対向面をさらに備え、前記対向面は、前記コネクタよりも前記後側に配置され、前記コネクタの突出方向と実質的に平行に延びるように構成することができる。
【００１０】
この構成によれば、コネクタ挿入口にコネクタが挿入されるときに、対向面を電子機器に当接させることができるため、これによって、コネクタの回動を規制することができる。したがって、コネクタ挿入口にコネクタをスムーズに挿入させることができる。
【００１１】
また、上記通電装置において、前記対向面は、前記回動機構によって、前記コネクタとともに回動可能に構成することができる。
【００１２】
この構成によれば、例えば、コネクタが回動したとしても、対向面がコネクタとともに回動するため、コネクタと対向面との位置関係は変化しない。したがって、対向面を基準として電子機器を移動させれば、コネクタをコネクタ挿入口に容易に挿入することができる。
【００１３】
なお、実質的に平行とは完全な平行でなくてもよく、コネクタ挿入口へのコネクタの挿入をスムーズに行える程度に平行であればよい。
【００１４】
前記電子機器が、前記所定面及び前記背面の交差部分から、上方に延びる凹部と、を有する場合、上記回動機構は、種々の構成が可能である。例えば、回動機構は、前記対向面を有し、前記凹部に少なくとも一部が挿入可能なガイド部を備えるように構成できる。
【００１５】
このように、電子機器の凹部内の両側面に、ガイド部の一対の所定面が当接することで、コネクタ挿入時に、電子機器の第１軸線方向の位置決めを容易に行うことができる。
【００１６】
あるいは、前記回動機構は、前記対向面から前記前側に突出し、前記凹部に少なくとも一部が挿入可能なガイド部を有することができる。
【００１７】
この構成によっても、電子機器の凹部内の両側面に、ガイド部の一対の所定面が当接することで、コネクタ差込時に、電子機器の第１軸線方向の位置決めを容易に行うことができる。
【００１８】
上記通電装置においては、前記コネクタと通電する基板と、前記基板における前記後側の後端部から延びるケーブルと、をさらに備えることができ、前記基板は、前記回動機構により、前記コネクタとともに回動可能に支持されており、前記第１軸線は、前記基板の後端部近傍に位置するように構成できる。
【００１９】
この構成によれば、コネクタと通電する基板の後端部からケーブルが延び、さらに基板の後端部近傍に第１軸線が位置している。すなわち、コネクタとケーブルとの接続部分付近に第１軸線が位置しているため、基板がコネクタとともに回動しても、基板とケーブルとの接続部分はほとんど移動しない。したがって、ケーブルが過度に動いて不要な負荷がかかる可能性を低減することができる。
【００２０】
上記通電装置において、前記回動機構は、前記コネクタ挿入口に対する前記コネクタの挿入方向に向かって、前記コネクタを付勢するように構成された弾性部材を備えることができる。
【００２１】
これにより、コネクタが挿入方向に向かって常時押圧されるため、コネクタをコネクタ挿入口に挿入しやすい位置に付勢することができる。
【００２２】
上記通電装置において、前記電子機器は、前記所定面の前端から延びる前面を有しており、前記ハウジングは、前記電子機器の所定面と対向する支持面を有し、前記支持面は、前記コネクタ挿入口に挿入された前記コネクタを当該コネクタ挿入口から取り外す場合に、前記電子機器の前記所定面及び前記前面の交差部分が当接可能に構成することができる。
【００２３】
この構成によれば、電子機器を前側に傾けて取り外す場合、電子機器の上記交差部分がハウジングの支持面に当接するため、この当接部分が支点となって電子機器を前側に安定的に回動させることができる。したがって、コネクタもこれに伴ってスムーズに回動するため、コネクタ挿入口からコネクタを容易に離脱させることができる。
【００２４】
上記通電装置において、前記ハウジングは、前記電子機器の所定面と対向する面を有する基台部と、前記基台部の前記面から延びる前面を有する延在部と、を有することができ、前記基台部と前記延在部とが側面視で交差するように構成することができ、前記コネクタが、前記基台部の前記面の前端と前記前面の上端とを結ぶ仮想面よりも前記ハウジング側に配置されるように構成することができる。
【００２５】
この構成によれば、例えば、基台部の面の前端と前面の上端とが設置面に接するように上記通電装置を配置した場合に、コネクタは設置面には接触しないようにすることができる。そのため、このような配置をしたとしても、コネクタが設置面に接触して損傷する可能性を低減することができる。なお、基台部と延在部とは、例えば、側面視でＬ字状をなすように構成することができる。
【００２６】
上記通電装置において、前記ハウジングは、前記電子機器の所定面と対向する面を有する基台部と、前記基台部の前記面から延びる前面、及び当該前面とは反対側の背面を有する延在部と、を備えることができ、前記通電装置は、前記延在部の背面側に取り付けられたスタンド部材と、前記ハウジングに対して前記スタンド部材を、第２軸線周りに回動可能に連結し、前記スタンド部材と前記ハウジングとの角度を調整可能とする連結機構と、をさらに備えることができる。
【００２７】
これにより、スタンド部材のハウジングに対する角度を調整することができ、ハウジングをユーザの所望の角度に傾けて設置することができる。
【００２８】
上記通電装置において、前記連結機構は、前記スタンド部材と前記ハウジングとを着脱自在に連結し、前記スタンド部材と前記ハウジングとの間の角度が所定角度以上となったときに、前記スタンド部材を前記ハウジングから離脱するように構成することができる。
【００２９】
この構成により、例えば、ハウジングに対するスタンド部材の角度を無理に広げようとしたとき、その角度が所定角度以上になると、スタンド部材がハウジングから離脱するため、スタンド部材やハウジングが損傷する可能性を低減することができる。
【００３０】
上記通電装置において、前記スタンド部材には、前記スタンド部材と前記ハウジングとの間の角度が前記所定角度となったときに、前記ハウジングにおいて前記第２軸線よりも上方の部位が、前記ハウジングに当接するように構成することができる。
【００３１】
この構成により、ハウジングに対するスタンド部材の角度を所定角度以上に広げようとすると、スタンド部材の上記の部位がハウジングに接するため、これが支点となって、スタンド部材をハウジングから容易に離脱させることができる。
【００３２】
上記通電装置において、前記連結機構は、前記ハウジングに設けられた連結部と、前記スタンド部材に設けられ、前記連結部の前記第２軸線方向における両端部を挟むように、当該連結部に着脱可能に固定される一対の固定部と、を備えることができる。
【００３３】
この構成によれば、ハウジングからのスタンド部材の離脱をスムーズに行うことができ、離脱時に固定部等の連結機構が損傷する可能性を低減することができる。
【００３４】
上記通電装置において、前記連結機構は、前記スタンド部材において、前記一対の固定部の間に設けられ、前記連結部に係合可能な係合部をさらに備えることができる。
【００３５】
固定部と連結部との固定に加え、このような係合部を設けると、スタンド部材とハウジングとの連結をより強固にすることができる。
【００３６】
上記通電装置では、前記各固定部及び前記連結部の固定状態において、互いに接する部分の少なくとも一方には、傾斜部を形成することができ、前記各固定部及び前記連結部は、前記傾斜面をスライドした後、固定状態となるように構成することができる。
【００３７】
この構成によれば、固定部を連結部の傾斜部をスライドさせれば固定状態にできるため、固定部の連結部への取付を容易に行うことができる。
【００３８】
上記通電装置において、前記連結機構は、前記延在部に設けられる第１部位と、前記連結部を有する第２部位と、前記第１部位と前記第２部位とを連結し、当該前記第１部位及び第２部位を互いに前記第２軸線周りに回動可能とするヒンジ部と、を備えることができる。
【００３９】
この構成は連結機構の一例であるが、例えば、ヒンジ部として、トルクヒンジなどの回動にトルクを要する部材を用いることで、スタンド部材を回動させるときに、トルク部によって回動に要する力を強くすることができる。その結果、ハウジングに対するスタンド部材の角度を無段階で調整することができ、ハウジングの設置角度の微妙な調整が可能となる。
【００４０】
上記通電装置において、前記第１部位及び第２部位を形成する材料は、前記ハウジングを形成する材料よりも剛性を高くすることができる。
【００４１】
この構成により、ヒンジ部によって連結されている第１部位及び第２部位の剛性を高めることができ、スタンド部材の回動によって繰り返し力が作用しても、第１部位及び第２部位が損傷する可能性を低減することができる。
【００４２】
第１部位及び第２部位を構成する材料は特には限定されないが、例えば、ガラス繊維を含む樹脂材料で形成することができ、この場合、少なくとも一部が前記ハウジングに収容することができる。
【００４３】
ガラス繊維を含む樹脂材料は、強度は高いものの、所望の色に着色するのが難しい場合がある。したがって、第１部位及び第２部位の美観を高めることができない可能性があるため、これらの部位の少なくとも一部をハウジングに収容すれば、外部から視認しがたくすることができる。
【００４４】
上記通電装置においては、前記電子機器のコネクタ挿入口に前記コネクタが挿入された場合に、前記電子機器の充電が可能であるように構成することができる。
【発明の効果】
【００４５】
上記通電装置によれば、コネクタに不要な負荷がかかる可能性を低減することができる。
【図面の簡単な説明】
【００４６】
【図１】本体装置に左コントローラおよび右コントローラ装着した状態のゲームシステムの一例を示す図である。
【図２】本体装置から左コントローラおよび右コントローラをそれぞれ外した状態のゲームシステムの一例を示す図である。
【図３】図１の本体装置の一例を示す六面図である。
【図４】図１の左コントローラの一例を示す六面図である。
【図５】図１の右コントローラの一例を示す六面図である。
【図６】図１の本体装置の内部構成の一例を示すブロック図である。
【図７】図１の本体装置と左コントローラおよび右コントローラとの内部構成の一例を示すブロック図である。
【図８】本発明の一実施形態に係る充電装置の斜視図である。
【図９】図８の充電装置を背面側から見た斜視図である。
【図１０】図９においてスタンド部材を回動させた状態を示す斜視図である。
【図１１】ハウジングの分解斜視図である。
【図１２】傾けた状態で設置面に設置した充電装置の側面図である。
【図１３】ハウジング、連結機構、及びスタンド部材の分解斜視図である。
【図１４】図８のＡ−Ａ線断面図である。
【図１５】回動部材の斜視図である。
【図１６】スタンド部材の斜視図である。
【図１７】第１固定具と第２固定具とが固定された状態を示す断面図である。
【図１８】スタンド部材を上方へ回動した状態を示す側面図である。
【図１９】コネクタ支持体の斜視図である。
【図２０】コネクタ支持体の分解斜視図である。
【図２１】コネクタ支持部の回動を示す断面図ある。
【図２２】ハウジング内の電気構造をコネクタ支持体とともに示した斜視図である。
【図２３】ゲームシステムを充電装置に取り付ける方法を示す断面図である。
【図２４】ゲームシステムを充電装置に取り付ける方法を示す断面図である。
【図２５】ゲームシステムを充電装置に取り付ける方法を示す断面図である。
【図２６】スタンド部材の角度の調整方法を示す断面図である。
【図２７】スタンド部材の角度の調整方法を示す断面図である。
【図２８】充電装置からゲームシステムの取り外す方法を示す断面図である。
【図２９】充電装置からゲームシステムの取り外す方法を示す断面図である。
【図３０】ハウジングとコネクタの位置関係による効果を示す側面図である。
【図３１】ハウジングからのスタンド部材の離脱を説明する側面図である。
【図３２】ガイド部材の他の例を説明する充電装置の側面図である。
【発明を実施するための形態】
【００４７】
以下、本発明に係る通電装置を、ゲームシステムの充電装置に適用した場合の一実施形態について説明する。以下では、まず、充電対象となるゲームシステムについて説明し、その後、通電装置について説明する。
【００４８】
＜１．ゲームシステムの概要＞
以下、本実施形態の一例に係るゲームシステムについて説明する。本実施形態におけるゲームシステム１の一例は、本体装置（情報処理装置；本実施形態ではゲーム装置本体として機能する）２と左コントローラ３および右コントローラ４とを含む。本体装置２は、左コントローラ３および右コントローラ４がそれぞれ着脱可能である。つまり、ゲームシステム１は、左コントローラ３および右コントローラ４をそれぞれ本体装置２に装着して一体化された装置として利用できる。また、ゲームシステム１は、本体装置２と左コントローラ３および右コントローラ４とを別体として利用することもできる（図２参照）。以下では、本実施形態のゲームシステム１のハードウェア構成について説明し、その後に本実施形態のゲームシステム１の制御について説明する。
【００４９】
＜１−１．本体装置＞
図１は、本体装置２に左コントローラ３および右コントローラ４を装着した状態の一例を示す図である。図１に示すように、左コントローラ３および右コントローラ４は、それぞれ本体装置２に装着されて一体化されている。本体装置２は、ゲームシステム１における各種の処理（例えば、ゲーム処理）を実行する装置である。本体装置２は、ディスプレイ１２を備える。左コントローラ３および右コントローラ４は、ユーザが入力を行うための操作部を備える装置である。
【００５０】
図２は、本体装置２から左コントローラ３および右コントローラ４をそれぞれ外した状態の一例を示す図である。図１および図２に示すように、左コントローラ３および右コントローラ４は、本体装置２に着脱可能である。なお、以下において、左コントローラ３および右コントローラ４の総称として「コントローラ」と記載することがある。
【００５１】
図３は、本体装置２の一例を示す六面図である。図３に示すように、本体装置２は、略板状のハウジング１１を備える。本実施形態において、ハウジング１１の主面（換言すれば、表側の面、すなわち、ディスプレイ１２が設けられる面）は、大略的には矩形形状である。
【００５２】
なお、ハウジング１１の形状および大きさは、任意である。一例として、ハウジング１１は、携帯可能な大きさであってよい。また、本体装置２単体または本体装置２に左コントローラ３および右コントローラ４が装着された一体型装置は、携帯型装置となってもよい。また、本体装置２または一体型装置が手持ち型の装置となってもよい。また、本体装置２または一体型装置が可搬型装置となってもよい。
【００５３】
図３に示すように、本体装置２は、ハウジング１１の主面に設けられるディスプレイ１２を備える。ディスプレイ１２は、本体装置２が生成した画像を表示する。本実施形態においては、ディスプレイ１２は、液晶表示装置（ＬＣＤ）とする。ただし、ディスプレイ１２は任意の種類の表示装置であってよい。
【００５４】
また、本体装置２は、ディスプレイ１２の画面上にタッチパネル１３を備える。本実施形態においては、タッチパネル１３は、マルチタッチ入力が可能な方式（例えば、静電容量方式）のものである。ただし、タッチパネル１３は、任意の種類のものであってよく、例えば、シングルタッチ入力が可能な方式（例えば、抵抗膜方式）のものであってもよい。
【００５５】
本体装置２は、ハウジング１１の内部においてスピーカ（すなわち、図６に示すスピーカ８８）を備えている。図３に示すように、ハウジング１１の主面には、スピーカ孔１１ａおよび１１ｂが形成される。そして、スピーカ８８の出力音は、これらのスピーカ孔１１ａおよび１１ｂからそれぞれ出力される。
【００５６】
また、本体装置２は、本体装置２が左コントローラ３と有線通信を行うための端子である左側端子１７と、本体装置２が右コントローラ４と有線通信を行うための右側端子２１を備える。
【００５７】
図３に示すように、本体装置２は、スロット２３を備える。スロット２３は、ハウジング１１の上側面に設けられる。スロット２３は、所定の種類の記憶媒体を装着可能な形状を有する。所定の種類の記憶媒体は、例えば、ゲームシステム１およびそれと同種の情報処理装置に専用の記憶媒体（例えば、専用メモリカード）である。所定の種類の記憶媒体は、例えば、本体装置２で利用されるデータ（例えば、アプリケーションのセーブデータ等）、および／または、本体装置２で実行されるプログラム（例えば、アプリケーションのプログラム等）を記憶するために用いられる。また、本体装置２は、電源ボタン２８を備える。
【００５８】
本体装置２の下面（所定面）には、下側端子２７を備える。下側端子２７は、本体装置２がクレードルと通信を行ったり、後述する充電装置により充電を行うための端子である。本実施形態において、下側端子２７は、ＵＳＢコネクタ（より具体的には、メス側コネクタ）であり、このメス側コネクタ（コネクタ挿入口）２７に、後述する充電装置１０００のオス側コネクタが挿入される。上記一体型装置または本体装置２単体をクレードルに載置した場合、ゲームシステム１は、本体装置２が生成して出力する画像を据置型モニタに表示することができる。また、本実施形態においては、クレードルは、載置された上記一体型装置または本体装置２単体を充電する機能を有する。また、クレードルは、ハブ装置（具体的には、ＵＳＢハブ）の機能を有する。
【００５９】
また、本体装置２の左右方向の中央には、下面と背面との連結部分から上方に向かって正面視矩形状の溝部（凹部）２９が形成されている。この凹部２９は、底面２９１とその左右の両側の側壁面２９２により断面矩形状に形成されている。また、この溝部２９は、左右方向において、メス側コネクタ２７と対応する位置に形成されており、メス側コネクタ２７よりも後方に形成されている。したがって、メス側コネクタ２７と溝部２９の底面２９１とは、所定距離だけ離れている。
【００６０】
＜１−２．左コントローラ＞
図４は、左コントローラ３の一例を示す六面図である。図４に示すように、左コントローラ３は、ハウジング３１を備える。本実施形態においては、ハウジング３１は、縦長の形状、すなわち、上下方向（すなわち、図１および図４に示すｙ軸方向）に長い形状である。左コントローラ３は、本体装置２から外された状態において、縦長となる向きで把持されることも可能である。ハウジング３１は、縦長となる向きで把持される場合に片手、特に左手で把持可能な形状および大きさをしている。また、左コントローラ３は、横長となる向きで把持されることも可能である。左コントローラ３が横長となる向きで把持される場合には、両手で把持されるようにしてもよい。
【００６１】
左コントローラ３は、アナログスティック３２を備える。図４に示すように、アナログスティック３２は、ハウジング３１の主面に設けられる。アナログスティック３２は、方向を入力することが可能な方向入力部として用いることができる。ユーザは、アナログスティック３２を傾倒することによって傾倒方向に応じた方向の入力（および、傾倒した角度に応じた大きさの入力）が可能である。なお、左コントローラ３は、方向入力部として、アナログスティックに代えて、十字キーまたはスライド入力が可能なスライドスティック等を備えるようにしてもよい。また、本実施形態においては、アナログスティック３２を押下する入力が可能である。
【００６２】
左コントローラ３は、各種操作ボタンを備える。左コントローラ３は、ハウジング３１の主面上に４つの操作ボタン３３〜３６（具体的には、右方向ボタン３３、下方向ボタン３４、上方向ボタン３５、および左方向ボタン３６）を備える。さらに、左コントローラ３は、録画ボタン３７および−（マイナス）ボタン４７を備える。左コントローラ３は、ハウジング３１の側面の左上に第１Ｌボタン３８およびＺＬボタン３９を備える。また、左コントローラ３は、ハウジング３１の側面の、本体装置２に装着される際に装着される側の面に第２Ｌボタン４３および第２Ｒボタン４４を備える。これらの操作ボタンは、本体装置２で実行される各種プログラム（例えば、ＯＳプログラムやアプリケーションプログラム）に応じた指示を行うために用いられる。
【００６３】
また、左コントローラ３は、左コントローラ３が本体装置２と有線通信を行うための端子４２を備える。
【００６４】
＜１−３．右コントローラ＞
図５は、右コントローラ４の一例を示す六面図である。図５に示すように、右コントローラ４は、ハウジング５１を備える。本実施形態においては、ハウジング５１は、縦長の形状、すなわち、上下方向に長い形状である。右コントローラ４は、本体装置２から外された状態において、縦長となる向きで把持されることも可能である。ハウジング５１は、縦長となる向きで把持される場合に片手、特に右手で把持可能な形状および大きさをしている。また、右コントローラ４は、横長となる向きで把持されることも可能である。右コントローラ４が横長となる向きで把持される場合には、両手で把持されるようにしてもよい。ここで、説明の便宜のため、右コントローラ４のハウジング５１の外面を次のように規定することする。すなわち、ハウジング５１は概ね直方体状に形成されており、上下方向を長手方向とする長方形状の第１主面、及びこれとは反対側の第２主面を備えている。そして、ハウジング５１において、これら主面の長手方向の上端面が第１端面を構成し、下端面が第２端面を構成する。また、両主面の短手方向の右側面が第１側端面を構成し、左側面が第２側端面を構成する。但し、第１端面は、左端部に長手方向の上方を向く平坦な面を有しているが、右側にいくにしたがって下方に湾曲するように構成され、第１側端面の上端に連結されている。そして、この第１端面には、後述するように、湾曲した第１Ｒボタン６０が配置されている。同様に、第２端面は、左端部に長手方向の下方を向く平坦な面を有しているが、右側にいくにしたがって上方に湾曲するように構成され、第１側端面の下端に連結されている。そして、この第２端面に後述する赤外撮像部１２３及び赤外発光部１２４が配置されている。
【００６５】
右コントローラ４は、左コントローラ３と同様、方向入力部としてアナログスティック５２を備える。本実施形態においては、アナログスティック５２は、左コントローラ３のアナログスティック３２と同じ構成である。また、右コントローラ４は、アナログスティックに代えて、十字キーまたはスライド入力が可能なスライドスティック等を備えるようにしてもよい。また、右コントローラ４は、左コントローラ３と同様、ハウジング５１の主面上に４つの操作ボタン５３〜５６（具体的には、Ａボタン５３、Ｂボタン５４、Ｘボタン５５、およびＹボタン５６）を備える。さらに、右コントローラ４は、＋（プラス）ボタン５７およびホームボタン５８を備える。これら右コントローラ４の第１主面に設けられたる操作ボタン５３〜５８及びアナログスティック３２が、本発明の第１操作部の一例となる。また、右コントローラ４は、ハウジング５１の第１端面に湾曲した第１Ｒボタン６０を備える。また、第１Ｒボタン６０の背面側には、背面側に突出するとともに、上方から押し込み可能なＺＲボタン６１が設けられている。そして、このＺＲボタン６１の下方には隆起部５００が形成されている。この隆起部５００は、第２主面から膨出する部位でありＺＲボタン６１から下方にいくにしたがって第２主面に向かう傾斜面を有している。ここで、第１Ｒボタン６０が本発明の第２操作部の一例となり、ＺＲボタン６１及び隆起部５００が第３操作部の一例となる。また、右コントローラ４は、左コントローラ３と同様、第２Ｌボタン６５および第２Ｒボタン６６を備える。
【００６６】
また、ハウジング５１の第２端面には、窓部６８が設けられる。詳細は後述するが、右コントローラ４は、ハウジング５１の内部に配置される赤外撮像部１２３および赤外発光部１２４を備えている。赤外撮像部１２３は、右コントローラ４の下方向（図５に示すｙ軸負方向）を撮像方向として、窓部６８を介して右コントローラ４の周囲を撮像する。赤外発光部１２４は、右コントローラ４の下方向（図５に示すｙ軸負方向）を中心とする所定範囲を照射範囲として、赤外撮像部１２３が撮像する撮像対象に窓部６８を介して赤外光を照射する。窓部６８は、赤外撮像部１２３のカメラのレンズや赤外発光部１２４の発光体等を保護するためのものであり、当該カメラが検知する波長の光や当該発光体が照射する光を透過する材質（例えば、透明な材質）で構成される。なお、窓部６８は、ハウジング５１に形成された孔であってもよい。なお、本実施形態においては、カメラが検知する光（本実施形態においては、赤外光）以外の波長の光の透過を抑制するフィルタ部材を赤外撮像部１２３自身が有する。ただし、他の実施形態においては、窓部６８がフィルタの機能を有していてもよい。
【００６７】
また、詳細は後述するが、右コントローラ４は、ＮＦＣ通信部１２２を備える。ＮＦＣ通信部１２２は、ＮＦＣ（Ｎｅａｒ  Ｆｉｅｌｄ  Ｃｏｍｍｕｎｉｃａｔｉｏｎ）の規格に基づく近距離無線通信を行う。ＮＦＣ通信部１２２は、近距離無線通信に用いられるアンテナ１２２ａと、アンテナ１２２ａから送出すべき信号（電波）を生成する回路（例えばＮＦＣチップ）とを有する。なお、ＮＦＣ通信部１２２は、ＮＦＣの規格に基づく近距離無線通信を行う代わりに、任意の近接通信（非接触通信とも言う）で近距離無線通信を行うようにしてもよい。ここで、ＮＦＣの規格は、近接通信（非接触通信）に用いることができるものであり、「任意の近接通信で近距離無線通信を行うようにしてもよい」とは、ＮＦＣの規格による近接通信を除いた他の近接通信で近距離無線通信を行ってもよいことを意図している。
【００６８】
また、右コントローラ４は、右コントローラ４が本体装置２と有線通信を行うための端子６４を備える。
【００６９】
＜１−４．本体装置の内部構成＞
図６は、本体装置２の内部構成の一例を示すブロック図である。本体装置２は、図３に示す構成の他、図６に示す各構成要素８１〜９１、９７、および９８を備える。これらの構成要素８１〜９１、９７、および９８のいくつかは、電子部品として電子回路基板上に実装されてハウジング１１内に収納されてもよい。
【００７０】
本体装置２は、プロセッサ８１を備える。プロセッサ８１は、本体装置２において実行される各種の情報処理を実行する情報処理部であって、例えば、ＣＰＵ（Ｃｅｎｔｒａｌ  Ｐｒｏｃｅｓｓｉｎｇ  Ｕｎｉｔ）のみから構成されてもよいし、ＣＰＵ機能、ＧＰＵ（Ｇｒａｐｈｉｃｓ  Ｐｒｏｃｅｓｓｉｎｇ  Ｕｎｉｔ）機能等の複数の機能を含むＳｏＣ（Ｓｙｓｔｅｍ−ｏｎ−ａ−ｃｈｉｐ）から構成されてもよい。プロセッサ８１は、記憶部（具体的には、フラッシュメモリ８４等の内部記憶媒体、あるいは、スロット２３に装着される外部記憶媒体等）に記憶される情報処理プログラム（例えば、ゲームプログラム）を実行することによって、各種の情報処理を実行する。
【００７１】
本体装置２は、自身に内蔵される内部記憶媒体の一例として、フラッシュメモリ８４およびＤＲＡＭ（Ｄｙｎａｍｉｃ  Ｒａｎｄｏｍ  Ａｃｃｅｓｓ  Ｍｅｍｏｒｙ）８５を備える。フラッシュメモリ８４およびＤＲＡＭ８５は、プロセッサ８１に接続される。フラッシュメモリ８４は、主に、本体装置２に保存される各種のデータ（プログラムであってもよい）を記憶するために用いられるメモリである。ＤＲＡＭ８５は、情報処理において用いられる各種のデータを一時的に記憶するために用いられるメモリである。
【００７２】
本体装置２は、スロットインターフェース（以下、「Ｉ／Ｆ」と略記する。）９１を備える。スロットＩ／Ｆ９１は、プロセッサ８１に接続される。スロットＩ／Ｆ９１は、スロット２３に接続され、スロット２３に装着された所定の種類の記憶媒体（例えば、専用メモリカード）に対するデータの読み出しおよび書き込みを、プロセッサ８１の指示に応じて行う。
【００７３】
プロセッサ８１は、フラッシュメモリ８４およびＤＲＡＭ８５、ならびに上記各記憶媒体との間でデータを適宜読み出したり書き込んだりして、上記の情報処理を実行する。
【００７４】
本体装置２は、ネットワーク通信部８２を備える。ネットワーク通信部８２は、プロセッサ８１に接続される。ネットワーク通信部８２は、ネットワークを介して外部の装置と通信（具体的には、無線通信）を行う。本実施形態においては、ネットワーク通信部８２は、第１の通信態様としてＷｉ−Ｆｉの規格に準拠した方式により、無線ＬＡＮに接続して外部装置と通信を行う。また、ネットワーク通信部８２は、第２の通信態様として所定の通信方式（例えば、独自プロトコルによる通信や、赤外線通信）により、同種の他の本体装置２との間で無線通信を行う。なお、上記第２の通信態様による無線通信は、閉ざされたローカルネットワークエリア内に配置された他の本体装置２との間で無線通信可能であり、複数の本体装置２の間で直接通信することによってデータが送受信される、いわゆる「ローカル通信」を可能とする機能を実現する。
【００７５】
本体装置２は、コントローラ通信部８３を備える。コントローラ通信部８３は、プロセッサ８１に接続される。コントローラ通信部８３は、左コントローラ３および／または右コントローラ４と無線通信を行う。本体装置２と左コントローラ３および右コントローラ４との通信方式は任意であるが、本実施形態においては、コントローラ通信部８３は、左コントローラ３との間および右コントローラ４との間で、Ｂｌｕｅｔｏｏｔｈ（登録商標）の規格に従った通信を行う。
【００７６】
プロセッサ８１は、上述の左側端子１７、右側端子２１、および下側端子２７に接続される。プロセッサ８１は、左コントローラ３と有線通信を行う場合、左側端子１７を介して左コントローラ３へデータを送信するとともに、左側端子１７を介して左コントローラ３から操作データを受信する。また、プロセッサ８１は、右コントローラ４と有線通信を行う場合、右側端子２１を介して右コントローラ４へデータを送信するとともに、右側端子２１を介して右コントローラ４から操作データを受信する。また、プロセッサ８１は、クレードルと通信を行う場合、下側端子２７を介してクレードルへデータを送信する。このように、本実施形態においては、本体装置２は、左コントローラ３および右コントローラ４との間で、それぞれ有線通信と無線通信との両方を行うことができる。また、左コントローラ３および右コントローラ４が本体装置２に装着された一体型装置または本体装置２単体がクレードルに装着された場合、本体装置２は、クレードルを介してデータ（例えば、画像データや音声データ）を据置型モニタ等に出力することができる。
【００７７】
ここで、本体装置２は、複数の左コントローラ３と同時に（換言すれば、並行して）通信を行うことができる。また、本体装置２は、複数の右コントローラ４と同時に（換言すれば、並行して）通信を行うことができる。したがって、複数のユーザは、左コントローラ３および右コントローラ４のセットをそれぞれ用いて、本体装置２に対する入力を同時に行うことができる。一例として、第１ユーザが左コントローラ３および右コントローラ４の第１セットを用いて本体装置２に対して入力を行うと同時に、第２ユーザが左コントローラ３および右コントローラ４の第２セットを用いて本体装置２に対して入力を行うことが可能となる。
【００７８】
本体装置２は、タッチパネル１３の制御を行う回路であるタッチパネルコントローラ８６を備える。タッチパネルコントローラ８６は、タッチパネル１３とプロセッサ８１との間に接続される。タッチパネルコントローラ８６は、タッチパネル１３からの信号に基づいて、例えばタッチ入力が行われた位置を示すデータを生成して、プロセッサ８１へ出力する。
【００７９】
また、ディスプレイ１２は、プロセッサ８１に接続される。プロセッサ８１は、（例えば、上記の情報処理の実行によって）生成した画像および／または外部から取得した画像をディスプレイ１２に表示する。
【００８０】
本体装置２は、コーデック回路８７およびスピーカ（具体的には、左スピーカおよび右スピーカ）８８を備える。コーデック回路８７は、スピーカ８８および音声入出力端子２５に接続されるとともに、プロセッサ８１に接続される。コーデック回路８７は、スピーカ８８および音声入出力端子２５に対する音声データの入出力を制御する回路である。
【００８１】
また、本体装置２は、加速度センサ８９を備える。本実施形態においては、加速度センサ８９は、所定の３軸（例えば、図１に示すｘｙｚ軸）方向に沿った加速度の大きさを検出する。なお、加速度センサ８９は、１軸方向あるいは２軸方向の加速度を検出するものであってもよい。
【００８２】
また、本体装置２は、角速度センサ９０を備える。本実施形態においては、角速度センサ９０は、所定の３軸（例えば、図１に示すｘｙｚ軸）回りの角速度を検出する。なお、角速度センサ９０は、１軸回りあるいは２軸回りの角速度を検出するものであってもよい。
【００８３】
加速度センサ８９および角速度センサ９０は、プロセッサ８１に接続され、加速度センサ８９および角速度センサ９０の検出結果は、プロセッサ８１へ出力される。プロセッサ８１は、上記の加速度センサ８９および角速度センサ９０の検出結果に基づいて、本体装置２の動きおよび／または姿勢に関する情報を算出することが可能である。
【００８４】
本体装置２は、電力制御部９７およびバッテリ９８を備える。電力制御部９７は、バッテリ９８およびプロセッサ８１に接続される。また、図示しないが、電力制御部９７は、本体装置２の各部（具体的には、バッテリ９８の電力の給電を受ける各部、左側端子１７、および右側端子２１）に接続される。電力制御部９７は、プロセッサ８１からの指令に基づいて、バッテリ９８から上記各部への電力供給を制御する。
【００８５】
また、バッテリ９８は、下側端子２７に接続される。外部の充電装置（例えば、クレードル）が下側端子２７に接続され、下側端子２７を介して本体装置２に電力が供給される場合、供給された電力がバッテリ９８に充電される。
【００８６】
＜１−５．コントローラの内部構成＞
図７は、本体装置２と左コントローラ３および右コントローラ４との内部構成の一例を示すブロック図である。なお、本体装置２に関する内部構成の詳細については、図６で示しているため図７では省略している。
【００８７】
左コントローラ３は、本体装置２との間で通信を行う通信制御部１０１を備える。図７に示すように、通信制御部１０１は、端子４２を含む各構成要素に接続される。本実施形態においては、通信制御部１０１は、端子４２を介した有線通信と、端子４２を介さない無線通信との両方で本体装置２と通信を行うことが可能である。通信制御部１０１は、左コントローラ３が本体装置２に対して行う通信方法を制御する。すなわち、左コントローラ３が本体装置２に装着されている場合、通信制御部１０１は、端子４２を介して本体装置２と通信を行う。また、左コントローラ３が本体装置２から外されている場合、通信制御部１０１は、本体装置２（具体的には、コントローラ通信部８３）との間で無線通信を行う。コントローラ通信部８３と通信制御部１０１との間の無線通信は、例えばＢｌｕｅｔｏｏｔｈ（登録商標）の規格に従って行われる。
【００８８】
また、左コントローラ３は、例えばフラッシュメモリ等のメモリ１０２を備える。通信制御部１０１は、例えばマイコン（マイクロプロセッサとも言う）で構成され、メモリ１０２に記憶されるファームウェアを実行することによって各種の処理を実行する。
【００８９】
左コントローラ３は、各ボタン１０３（具体的には、ボタン３３〜３９、４３、４４、および４７）を備える。また、左コントローラ３は、アナログスティック（図７では「スティック」と記載する）３２を備える。各ボタン１０３およびアナログスティック３２は、自身に対して行われた操作に関する情報を、適宜のタイミングで繰り返し通信制御部１０１へ出力する。
【００９０】
左コントローラ３は、慣性センサを備える。具体的には、左コントローラ３は、加速度センサ１０４を備える。また、左コントローラ３は、角速度センサ１０５を備える。本実施形態においては、加速度センサ１０４は、所定の３軸（例えば、図４に示すｘｙｚ軸）方向に沿った加速度の大きさを検出する。なお、加速度センサ１０４は、１軸方向あるいは２軸方向の加速度を検出するものであってもよい。本実施形態においては、角速度センサ１０５は、所定の３軸（例えば、図４に示すｘｙｚ軸）回りの角速度を検出する。なお、角速度センサ１０５は、１軸回りあるいは２軸回りの角速度を検出するものであってもよい。加速度センサ１０４および角速度センサ１０５は、それぞれ通信制御部１０１に接続される。そして、加速度センサ１０４および角速度センサ１０５の検出結果は、適宜のタイミングで繰り返し通信制御部１０１へ出力される。
【００９１】
通信制御部１０１は、各入力部（具体的には、各ボタン１０３、アナログスティック３２、各センサ１０４および１０５）から、入力に関する情報（具体的には、操作に関する情報、またはセンサによる検出結果）を取得する。通信制御部１０１は、取得した情報（または取得した情報に所定の加工を行った情報）を含む操作データを本体装置２へ送信する。なお、操作データは、所定時間に１回の割合で繰り返し送信される。なお、入力に関する情報が本体装置２へ送信される間隔は、各入力部について同じであってもよいし、同じでなくてもよい。
【００９２】
上記操作データが本体装置２へ送信されることによって、本体装置２は、左コントローラ３に対して行われた入力を得ることができる。すなわち、本体装置２は、各ボタン１０３およびアナログスティック３２に対する操作を、操作データに基づいて判別することができる。また、本体装置２は、左コントローラ３の動きおよび／または姿勢に関する情報を、操作データ（具体的には、加速度センサ１０４および角速度センサ１０５の検出結果）に基づいて算出することができる。
【００９３】
左コントローラ３は、振動によってユーザに通知を行うための振動子１０７を備える。本実施形態においては、振動子１０７は、本体装置２からの指令によって制御される。すなわち、通信制御部１０１は、本体装置２からの上記指令を受け取ると、当該指令に従って振動子１０７を駆動させる。ここで、左コントローラ３は、コーデック部１０６を備える。通信制御部１０１は、上記指令を受け取ると、指令に応じた制御信号をコーデック部１０６へ出力する。コーデック部１０６は、通信制御部１０１からの制御信号から振動子１０７を駆動させるための駆動信号を生成して振動子１０７へ与える。これによって振動子１０７が動作する。
【００９４】
振動子１０７は、より具体的にはリニア振動モータである。リニア振動モータは、回転運動をする通常のモータと異なり、入力される電圧に応じて所定方向に駆動されるため、入力される電圧の波形に応じた振幅および周波数で振動をさせることができる。本実施形態において、本体装置２から左コントローラ３に送信される振動制御信号は、単位時間ごとに周波数と振幅とを表すデジタル信号であってよい。別の実施形態においては、本体装置２から波形そのものを示す情報を送信するようにしてもよいが、振幅および周波数だけを送信することで通信データ量を削減することができる。また、さらにデータ量を削減するため、そのときの振幅および周波数の数値に替えて、前回の値からの差分だけを送信するようにしてもよい。この場合、コーデック部１０６は、通信制御部１０１から取得される振幅および周波数の値を示すデジタル信号をアナログの電圧の波形に変換し、当該波形に合わせて電圧を入力することで振動子１０７を駆動させる。したがって、本体装置２は、単位時間ごとに送信する振幅および周波数を変えることによって、そのときに振動子１０７を振動させる振幅および周波数を制御することができる。なお、本体装置２から左コントローラ３に送信される振幅および周波数は、１つに限らず、２つ以上送信するようにしてもよい。その場合、コーデック部１０６は、受信された複数の振幅および周波数それぞれが示す波形を合成することで、振動子１０７を制御する電圧の波形を生成することができる。
【００９５】
左コントローラ３は、電力供給部１０８を備える。本実施形態において、電力供給部１０８は、バッテリおよび電力制御回路を有する。図示しないが、電力制御回路は、バッテリに接続されるとともに、左コントローラ３の各部（具体的には、バッテリの電力の給電を受ける各部）に接続される。
【００９６】
図７に示すように、右コントローラ４は、本体装置２との間で通信を行う通信制御部１１１を備える。また、右コントローラ４は、通信制御部１１１に接続されるメモリ１１２を備える。通信制御部１１１は、端子６４を含む各構成要素に接続される。通信制御部１１１およびメモリ１１２は、左コントローラ３の通信制御部１０１およびメモリ１０２と同様の機能を有する。したがって、通信制御部１１１は、端子６４を介した有線通信と、端子６４を介さない無線通信（具体的には、Ｂｌｕｅｔｏｏｔｈ（登録商標）の規格に従った通信）との両方で本体装置２と通信を行うことが可能であり、右コントローラ４が本体装置２に対して行う通信方法を制御する。
【００９７】
右コントローラ４は、左コントローラ３の各入力部と同様の各入力部を備える。具体的には、各ボタン１１３、アナログスティック５２、慣性センサ（加速度センサ１１４および角速度センサ１１５）を備える。これらの各入力部については、左コントローラ３の各入力部と同様の機能を有し、同様に動作する。
【００９８】
また、右コントローラ４は、振動子１１７およびコーデック部１１６を備える。振動子１１７およびコーデック部１１６は、左コントローラ３の振動子１０７およびコーデック部１０６と同様に動作する。すなわち、通信制御部１１１は、本体装置２からの指令に従って、コーデック部１１６を用いて振動子１１７を動作させる。
【００９９】
右コントローラ４は、ＮＦＣの規格に基づく近距離無線通信を行うＮＦＣ通信部１２２を備える。ＮＦＣ通信部１２２は、いわゆるＮＦＣリーダ・ライタの機能を有する。ここで、本明細書において近距離無線通信とは、一方の装置（ここでは、右コントローラ４）からの電波によって（例えば電磁誘導によって）他方の装置（ここでは、アンテナ１２２ａと近接する装置）に起電力を発生させる通信方式が含まれる。他方の装置は、発生した起電力によって動作することが可能であり、電源を有していてもよいし有していなくてもよい。ＮＦＣ通信部１２２は、右コントローラ４（アンテナ１２２ａ）と通信対象とが接近した場合（典型的には、両者の距離が十数センチメートル以下となった場合）に当該通信対象との間で通信可能となる。通信対象は、ＮＦＣ通信部１２２との間で近距離無線通信が可能な任意の装置であり、例えばＮＦＣタグやＮＦＣタグの機能を有する記憶媒体である。ただし、通信対象は、ＮＦＣのカードエミュレーション機能を有する他の装置であってもよい。
【０１００】
また、右コントローラ４は、第２端面に赤外撮像部１２３を備える。赤外撮像部１２３は、右コントローラ４の周囲を撮像する赤外線カメラを有する。一例として、本体装置２および／または右コントローラ４は、撮像された情報（例えば、撮像された撮像画像における少なくとも一部の領域全体を分割した複数のブロックの輝度に関連する情報等）を算出し、当該情報に基づいて、右コントローラ４の周囲変化を判別する。また、赤外撮像部１２３は、環境光によって撮像を行ってもよいが、本実施形態においては、赤外線を照射する赤外発光部１２４を有する。赤外発光部１２４は、例えば、赤外線カメラが画像を撮像するタイミングと同期して、赤外線を照射する。そして、赤外発光部１２４によって照射された赤外線が撮像対象によって反射され、当該反射された赤外線が赤外線カメラによって受光されることで、赤外線の画像が取得される。これによって、赤外撮像部１２３は、より鮮明な赤外線画像を得ることができる。なお、赤外撮像部１２３と赤外発光部１２４とは、それぞれ別のデバイスとして右コントローラ４内に設けられてもよいし、同じパッケージ内に設けられた単一のデバイスとして右コントローラ４内に設けられてもよい。また、本実施形態においては、赤外線カメラを有する赤外撮像部１２３が用いられるが、他の実施形態においては、撮像手段として、赤外線カメラに代えて可視光カメラ（可視光イメージセンサを用いたカメラ）が用いられてもよい。
【０１０１】
右コントローラ４は、処理部１２１を備える。処理部１２１は、通信制御部１１１に接続される。また、処理部１２１は、ＮＦＣ通信部１２２、赤外撮像部１２３、および赤外発光部１２４に接続される。処理部１２１は、本体装置２からの指令に応じて、ＮＦＣ通信部１２２に対する管理処理を実行する。例えば、処理部１２１は、本体装置２からの指令に応じてＮＦＣ通信部１２２の動作を制御する。また、処理部１２１は、ＮＦＣ通信部１２２の起動を制御したり、通信対象（例えば、ＮＦＣタグ）に対するＮＦＣ通信部１２２の動作（具体的には、読み出しおよび書き込み等）を制御したりする。また、処理部１２１は、通信制御部１１１を介して通信対象に送信されるべき情報を本体装置２から受信してＮＦＣ通信部１２２へ渡したり、通信対象から受信された情報をＮＦＣ通信部１２２から取得して通信制御部１１１を介して本体装置２へ送信したりする。
【０１０２】
また、処理部１２１は、ＣＰＵやメモリ等を含み、右コントローラ４に備えられた図示しない記憶装置（例えば、不揮発性メモリ等）に記憶された所定のプログラム（例えば、画像処理や各種演算を行うためのアプリケーションプログラム）に基づいて、本体装置２からの指令に応じて赤外撮像部１２３に対する管理処理を実行する。例えば、処理部１２１は、赤外撮像部１２３に撮像動作を行わせたり、撮像結果に基づく情報（撮像画像の情報、あるいは、当該情報から算出される情報等）を取得および／または算出して通信制御部１１１を介して本体装置２へ送信したりする。また、処理部１２１は、本体装置２からの指令に応じて赤外発光部１２４に対する管理処理を実行する。例えば、処理部１２１は、本体装置２からの指令に応じて赤外発光部１２４の発光を制御する。なお、処理部１２１が処理を行う際に用いるメモリは、処理部１２１内に設けられてもいいし、メモリ１１２であってもよい。
【０１０３】
右コントローラ４は、電力供給部１１８を備える。電力供給部１１８は、左コントローラ３の電力供給部１０８と同様の機能を有し、同様に動作する。
【０１０４】
＜２．充電装置＞
次に、本実施形態に係る通電装置について、図面を参照しつつ説明する。なお、以下の説明では、図８に示す方向に基づいて説明を行うこととし、他の図面についても図８の方向に基づいて説明を行う。但し、充電装置は、後述する図１２に示すように、傾いて配置されることもあるが、この向きに関わらず、本明細書を通じては、ハウジングにおいて延在部の前面がある側が「前」、これとは反対の延在部の背面がある側を「後」とし、これを本実施形態に係る充電装置を説明するときの方向とする。
【０１０５】
＜２−１．充電装置の概要＞
図８は充電装置の斜視図である。図８に示すように、この充電装置１０００は、主として、側面視Ｌ字状に形成されたハウジング１００と、このハウジング１１０の前面側に取り付けられたコネクタ支持体１２０と、このハウジング１１０の背面に取り付けられた板状のスタンド部材１３０と、を備えている。以下、これら部材及びこれらの部材に内蔵された付属部材について、詳細に説明する。
【０１０６】
＜２−１−１．ハウジング＞
次に、ハウジング１００について、図９も参照しつつ説明する。図９は充電装置を背面側から見た斜視図、図１０は図９においてスタンド部材を回動させた状態を示す斜視図、図１１はハウジングの分解斜視図である。図８〜図１０に示すように、このハウジング１００は、前後方向に延びる直方体状の基台部７１と、この基台部７１の後端部から上方に延びる直方体状の延在部７２と、を備え、これら基台部７１と延在部７２とが組み合わさることで側面視Ｌ字状に形成されている。基台部７１の上面（支持面とも言う）７１１は長方形状に形成され、ゲームシステム１を支持可能となっている。また、延在部７２の前面７２１は基台部７１の上面７１１と連続しつつ上方に延びており、これら基台部７１の上面７１１と延在部７２の前面７２１との連結部分は側面視円弧状に湾曲している。また、基台部７１の上面７１１の中央付近と、延在部７２の前面７２１の中央付近とに亘って、ハウジング１００の内部空間に通じる前部開口７３が形成されている。この前部開口７３は、基台部７１の上面７１１に形成された矩形状の貫通孔と、延在部７２の前面７２１に形成された矩形状の貫通孔とが連結するように形成されている。そして、この前部開口７３には、上述したコネクタ支持体１２０がはめ込まれている。
【０１０７】
ハウジング１００における延在部７２の下面７２２は、基台部７１の下面７１２と延在部７２の背面７２３とを連結する側面視円弧状に形成された湾曲面により形成されている。そして、この下面７２２の両側には、それぞれ帯状の滑り止め部材７３１が取り付けられており、これらが滑り止めの役割を果たす。なお、滑り止め部材７３１は、ゴム、シリコーンなどで形成することができる。
【０１０８】
また、図１１に示すように、ハウジング１００は、延在部７２の背面７２３、延在部７２の下面７２２、及び基台部７１の下面を構成する後部パネル１００Ａと、この後部パネル１００Ａ以外の外面を構成する前部パネル１００Ｂを組み合わせることで構成されている。
【０１０９】
＜２−１−２．スタンド部材、及びハウジングとスタンド部材との連結機構＞
次に、スタンド部材１３０、及びハウジング１００とスタンド部材１３０とを連結する連結機構について、図１２も参照しつつ説明する。図１２は、傾けた状態で設置面に設置した充電装置の側面図である。
【０１１０】
図９及び図１０に示すように、スタンド部材１３０は、長方形状に板状に形成され、ハウジング１００の背面、つまり延在部７２の背面７２３に取り付けられている。より詳細に説明すると、スタンド部材１３０の上端部付近が、ハウジング１００の背面７２３の上端部付近に、左右方向に延びる軸線Ｓ１（第２軸線）に沿って回動可能に取り付けられている。これにより、図１２に示すように、ハウジング１００の下面７２２と、スタンド部材１３０の下端部１３１とが設置面Ｄに接触した状態で、ハウジング１００に対するスタンド部材１３０の角度を変えることができる。すなわち、ハウジング１００の設置角度を変更することができる。
【０１１１】
このスタンド部材１３０は、延在部７２の背面７２３と概ね同じ大きさに形成されており、その下端部１３１が、前方に向かってやや湾曲している。例えば、ハウジング１００に対するスタンド部材の角度を変えて、図８に示すように、スタンド部材１３０をハウジング１００の背面７２３に接触させたときには、スタンド部材１３０の下端部が延在部７２の下面７２２に沿うように形成されている。
【０１１２】
一方、スタンド部材１３０の前面の上部付近には、連結機構の一部である固定具１４０が設けられている。
【０１１３】
次に、連結機構について詳細に説明する。図１３は、ハウジング、連結機構、及びスタンド部材の分解斜視図、図１４は図８のＡ−Ａ線断面図である。図１３に示すように、延在部７２の背面７２３の上端付近には、矩形状に後部開口７４が形成されており、ハウジング１００の内部空間に通じている。そして、ハウジング１００の内部空間には、連結機構を構成する支持部材（第１部位）７５と、この支持部材７５に取り付けられた一対のトルクヒンジ（ヒンジ部）７６と、このトルクヒンジ７６を介して支持部材７５に取り付けられた回動部材（第２部位）７７と、が収容されている。
【０１１４】
図１３に示すように、支持部材７５は、板状に連結板７５１と、この連結板７５１の左右の両側に取り付けられた一対の支持部７５２とを備えている。連結板７５１は、ハウジング１００の背面７２３の後部開口７４の一部を、内部空間側から塞ぐように配置される。各支持部７５２は、円筒状の取付空間７５３を有しており、この取付空間７５３にトルクヒンジ７６がはめ込まれる。そして、両トルクヒンジ７６は、互いに向き合うように、支持部７５２から突出するように配置される。
【０１１５】
トルクヒンジ７６は、公知のものを用いることができ、円筒状の外筒７６１と、この外筒７６１にはめ込まれた円柱状の軸部７６２とを備えており、軸部７６２が、外筒７６１に対して回転可能に取り付けられている。このとき、軸部７６２は、所定のトルクを付与しなければ外筒７６１に対して回転できないようになっており、これによってスタンド部材１３０は、後述するように、ハウジング１００に対する回動角度を無段階で調整可能となっている。（また、前記所定のトルク以下程度の力であれば、その角度を保持することができる。）そして、外筒７６１が、支持部材７５の支持部７５２にはめ込まれるとともに、軸部７６２は外筒７６１から突出し、回動部材７７にはめ込まれる。
【０１１６】
回動部材７７は、支持部材７５の両支持部７５２の間に配置される。より詳細に説明すると、回動部材７７は、円筒状の回動部７７１と、この回動部７７１の外周面に取り付けられた第２固定具（連結部）７７２とを備えている。回動部７７１は、支持部材７５の支持部７５２の間に配置され、支持部７５２から突出するトルクヒンジ７６の軸部７６２が、回動部７７１の両側にはめ込まれている。また、図１４に示すように、回動部７７１は、上述したハウジング１００の後部開口７４の上部付近から露出するように配置され、第２固定具７７２は、後部開口７４の下部付近から露出するように配置されている。そして、図１０に示すように、回動部７７１が支持部材７５に対して回動すると、後部開口７４内に収容されている第２固定具７７２が、後部開口７４から外部に突出するようになっている。
【０１１７】
次に、第２固定具７７２について、図１５を参照しつつ説明する。図１５は回動部材の斜視図である。図１５に示すように、第２固定具７７２は、矩形の枠状に形成された枠部材７７３を有しており、この枠部材７７３は、第２固定具７７２が開口７４内に収容された図１４の状態において、外部に向かって開口するように構成されている。枠部材７７３の内部には、左右方向の中央において前後方向に延びる板状の位置決め部７７４が形成されている。また、枠部材７７３の左右方向の各外側面７７５には、枠部材７７３の先端開口から内部側にいくにしたがって左右方向に延びるように傾斜する傾斜部７７６がそれぞれ形成されている。そして、各外側面７７５において、傾斜部７７６よりも内部側には、凹部７７７が形成されており、この凹部７７７に、後述する固定片１４１の突部１４２が嵌まるようになっている。
【０１１８】
次に、この第２固定具７７２に固定されるスタンド部材１３０の第１固定具１４０について、図１６及び図１７を参照しつつ説明する。図１６は、スタンド部材の斜視図、図１７は、第１固定具と第２固定具とが固定された状態を示す断面図である。図１７に示すように、第１固定具１４０は、スタンド部材１３０の前面の上端部付近に配置されており、第２固定具７７２の枠部材７７３を挟むように固定する一対の板状の固定片（固定部）１４１を備えている。各固定片１４１は、スタンド部材１３０の前面から互いに向き合うように突出している。そして、各固定片１４１の先端部において、互いに向き合う面には、突部１４２が形成されており、図１７に示すように、第２固定具７７２の凹部７７７に嵌まるようになっている。
【０１１９】
また、両固定片１４１の間には、第２固定具７７２の枠部材７７３に嵌まる複数の突出片１４３が形成されている。これら突出片１４３は、所定間隔をおいて左右方向に並ぶ板状に形成され、さらに左右方向に延びる連結部１４４により互いに連結されている。そして、突出片１４３の間には、上述した第２固定具７７２の位置決め部７７４が嵌まるようになっている。本実施形態では、４枚の突出片１４３が形成され、図１７に示すように、中央の２枚の突出片１４３の間に、位置決め部７７４が嵌まるようになっている。
【０１２０】
そして、第１固定具１４０の固定片１４１が、第２固定具７７２の枠部材７７３に固定されるときには、両固定具１４０，７７２を近接させ、固定片１４１の突部１４２を、枠部材７７３の傾斜部７７６で滑らせる。そして、固定片１４１の突部１４２が傾斜部７７６を超えると、枠部材７７３の凹部７７７に嵌まるようになっている。この過程で、第１固定具１４０の突出片１４３が枠部材７７３の内部に嵌まるようになっている。こうして、突部１４２が凹部７７７に嵌まると、両固定具１４０，７７２が固定状態となり、スタンド部材１３０のハウジング１００への取り付けが完了する。
【０１２１】
なお、第１固定具１４０は、スタンド部材１３０の上端部付近に配置されているため、スタンド部材１３０は、第１固定具１４０よりもさらに上方に延びている。そして、図１８に示すように、回動部材７７が最も上方まで回動したときには、スタンド部材１３０は、延在部７２と概ね垂直となり、さらにスタンド部材１３０を上方へ回動したときには、スタンド部材１３０の上端１３２が、延在部７２の上面７２４に接するようになっている。そして、スタンド部材１３０がさらに上方へ回動したときには、スタンド部材１３０の上端部１３３が、延在部７２の上面７２４において支点となって回動し、第１固定具１４０と第２固定具７７２との連結状態が解除される。すなわち、両固定片１４１の突部１４２が、枠部材７７３の凹部７７７から離脱するとともに、突出片１４３が枠部材７７３から離脱する。その結果、スタンド部材１３０がハウジング１００から離脱するようになっている。
【０１２２】
＜２−１−３．コネクタ支持体＞
次に、コネクタ支持体１２０について、図１９〜図２１を参照しつつ説明する。図１９はコネクタ支持体の斜視図、図２０はコネクタ支持体の分解斜視図、図２１はコネクタ支持部の回動を示す断面図ある。図１９及び図２０に示すように、コネクタ支持体１２０は、ハウジング１００の前部開口７３にはめ込まれた側面視Ｌ字状の本体部１２１と、この本体部１２１から突出するコネクタ１２２と、このコネクタ１２２に接続された第１基板１２３１とを備えている。
【０１２３】
本体部１２１は、ハウジング１００の基台部７１の上面７１１の貫通孔から露出する平面視矩形状の第１部位１２４５と、延在部７２の前面７２１の貫通孔から露出する正面視矩形状の第２部位１２５とを備え、これらが連結されてＬ字状に形成されている。第１部位１２４５の中央付近には、左右方向に延びる矩形状の貫通孔１２４１が形成されており、この貫通孔１２４１からコネクタ１２２が突出している。そして、本体部１２１が前部開口７３にはめ込まれた図８に示す初期位置では、第１部位１２４５の上面と基台部７１の上面７１１とは略連続した面を形成するようになっており、第２部位１２５の前面と延在部７２の前面７２１も略連続した面を形成するようになっている。また、第１部位１２４５の両側には、前後方向に延びる板状の抜け止め部１２６が形成されている。各抜け止め部１２６は、第１部位１２４５の上面よりも下側に設けられており、前部開口７３の両側において、ハウジング１００の内面に係合するように構成されている。したがって、抜け止め部１２６によって、本体部１２１は、前部開口７３から上方に抜け出るのが規制されている。
【０１２４】
各抜け止め部１２６の後端には、それぞれ左右方向に突出する軸部（第１軸線）１２７が形成されており、この軸部１２７が基台部７１の内面、つまり前部パネル１００Ｂの内面に設けられた軸受（図示省略）に回動自在に取り付けられている。すなわち、軸部１２７は、コネクタ１２２よりも後方に配置されている。また、第１部位１２４５の下面の両端には、バネ（弾性部材）１２８が取り付けられており、各バネ１２８は、第１部位１２４５の下面と基台部７１の内部空間の下部との間で支持されている。したがって、これらバネ１２８により、本体部１２１は上方に押し上げられるが、抜け止め部１２６がハウジング１００の内面に係合することで、本体部１２１は初期位置に保持されている。そして、本体部１２１に対して下方に外力を加えると、コネクタ１２２は軸部１２７を回動中心として上記初期位置から下方に回動するようになっている。
【０１２５】
また、第１部位１２４５の下面には、上述した第１基板１２３１がネジ１２３２によって固定されており（図２０参照）、この第１基板１２３１にコネクタ１２２が固定されている。そして、第１基板に取り付けられたコネクタ１２２は、上記のように、第１部位の貫通孔１２４１から上方へ突出している。このコネクタ１２２は、上述したように、ゲームシステム１のメス側コネクタ２７に挿入される。
【０１２６】
コネクタ１２２は、左右方向に延び、前後方向に厚みが薄く、前面及び背面１２２１(図２３参照)を有する扁平な直方体状に形成されており、第１基板１２３１に電気的に接続されている。そして、第１基板１２３１の後端部が、前後方向において、本体部１２１の軸部１２７と概ね同じ位置に配置されており、第１基板１２３１の後端部には、変形可能な帯状のケーブルが接続されている。なお、このようなコネクタ１２２としては、ＵＳＢ端子を採用することができる。
【０１２７】
また、第２部位１２５の前面には、第１部位１２４５と第２部位１２５との連結部分から上方に延びるガイド部１２９が形成されている。このガイド部１２９は、第２部位１２５の前面から前方に突出する直方体状に形成され、このガイド部１２９の前面が、コネクタ１２２の背面１２２１と平行な対向面１２９１（図１９のハッチング部分）を構成している。また、ガイド部１２９において、対向面１２９１の両側には、左右方向を向く側面（当接面）１２９２がそれぞれ形成されている。そして、このガイド部１２９が、上述したゲームシステム１の溝部２９に嵌まるようになっている。
【０１２８】
より詳細には、ガイド部１２９の溝部２９への挿入がガイドになって、コネクタ１２２がメス側コネクタ２７に挿入されるようになっている。そのため、ゲームシステム１において説明したメス側コネクタ２７と溝部２９の底面２９１との距離は、コネクタ１２２と対向面１２９１との距離と同じかわずかに小さくなっている。また、第２部位１２５の前面からのガイド部１２９の突出高さは、溝部２９の深さとほぼ同じであり、ガイド部１２９の左右方向の幅は、溝部２９の幅と同じかわずかに小さくなっている。さらに、メス側コネクタ２７とゲームシステム１の背面との距離は、コネクタ１２２と第２部位１２５の前面との距離とほぼ同じである。このような構成により、コネクタ１２２がメス側コネクタ２７に挿入された場合には、ガイド部１２９はゲームシステム１の溝部２９に嵌まる。これにより、対向面１２９１が溝部２９の底面２９１、つまりゲームシステム１の背面と対向するようになっている。
【０１２９】
以上のような構成により、コネクタ１２２に下向きの外力が加わると、図２１に示すように、コネクタ１２２は、本体部１２１及び第１基板１２３１とともに回動する。このとき、軸部１２７は、コネクタ１２２よりも後方に配置されているため、コネクタ１２２の上端が前方に傾きつつ、コネクタ支持体１２０が基台部７１の上面７１１から下方に沈むように、コネクタ１２２が回動する。
【０１３０】
また、図１２に示すように、コネクタ１２２が初期位置にあるとき、コネクタは、ハウジング１００の基台部７１の上面７１１の前端及び延在部７２の前面７２１の上端を結ぶ仮想面Ｚから突出しないように配置されている。
【０１３１】
＜２−１−４．充電のための構造＞
続いて、充電のための構造について、図２２も参照しつつ説明する。図２２は、ハウジング内の電気構造をコネクタ支持体とともに示した斜視図である。図８に示すように、延在部７２の側面７２６には、外部機器を接続するための外部端子用の側面開口７２５が形成されている。そして、この側面開口７２５と対応するように、ハウジング１００の内部には、図２２に示すように、外部端子７８が設けられている。この外部端子７８はメス型の端子であり、ハウジング１００内に配置される第２基板７８１に固定されている。図１４に示すように、第２基板７８１は、延在部７２の内部に固定されており、これによって、外部端子７８の開口が、延在部７２の側面開口７２５と一致するように支持される。また、図２２に示すように、外部端子７８と第２基板７８１とは、電気的に接続されており、第２基板７８１と上述した第１基板１２３１とは、フレキシブルフラットケーブル（ＦＦＣ）７９によって電気的に接続されている。そのため、ＦＦＣ７９は、第１基板１２３１がコネクタ支持体１２０とともに回動されると、これに伴って変形するようになっている。
【０１３２】
本実施形態に係る充電装置１０００は、外部端子７８に接続されるケーブル（図示省略）によって、コネクタ１２２に接続されたゲームシステム１の充電を行うものである。そのため、上記第１基板１２３１及び第２基板７８１に配置された各種の電子回路によって充電のための処理が行われる。
【０１３３】
＜３．充電装置の使用方法＞
＜３−１．ゲームシステムの取付方法＞
次に、上記のように構成された充電装置１０００の使用方法について、図２３〜図２５を参照しつつ説明する。図２３〜図２５は、ゲームシステムを充電装置に取り付ける方法を示す断面図である。まず、ゲームシステム１を充電装置１０００に配置する方法について説明する。はじめに、図１２に示すように、スタンド部材１３０を回動させ、ハウジング１００とスタンド部材１３０との角度を適当に決め、充電装置１０００を設置面Ｄに設置する。すなわち、ハウジング１００の下面７２２とスタンド部材１３０の下端部１３１とが設置面Ｄに接した状態にする。また、電源と接続されたケーブル（図示省略）を外部端子７８に接続しておく。
【０１３４】
次に、図２３に示すように、ゲームシステム１の前面のディスプレイ１２を前に向け、ゲームシステム１の背面と延在部７２の前面７２１とが対向するように向きを決める。次に、ゲームシステム１のメス側コネクタ２７に、コネクタ１２２が挿入されるように、ゲームシステム１を下向きに移動する。この過程においては、ゲームシステム１の背面を延在部７２の前面７２１に沿うように、ゲームシステム１を下降させれば、溝部２９に充電装置１０００のガイド部１２９が嵌まる。これにより、ゲームシステム１は、充電装置１０００に対して左右方向に位置決め（ガイド）される。そして、ゲームシステム１をさらに下降させると、ゲームシステム１は、ガイド部１２９にガイドされながら下降し、メス側コネクタ２７にコネクタ１２２が挿入される。
【０１３５】
そして、コネクタ１２２の先端が、メス側コネクタ２７の奥端部に達したときには、図２４に示すように、ゲームシステム１の下面と基台部７１の上面７１１との間にはわずかに隙間Ｋが形成される。その後、ゲームシステム１の重量により、コネクタ支持体１２０は、コネクタ１２２がメス側コネクタ２７に挿入された状態のままで、下方に押圧され、図２６に示すように、ゲームシステム１の下面が基台部７１の上面７１１に接する。こうして、ゲームシステム１は、充電装置１０００に支持される。この過程において、コネクタ支持体１２０は、ゲームシステム１により押圧されたとき、軸部１２７を回動中心として下方にわずかに回動する。
【０１３６】
その一方で、コネクタ支持体１２０は、バネ１２８によって上方に押し上げられているため、換言すれば、上方に付勢されているため、コネクタ１２２の先端は、依然としてメス側コネクタ２７の奥端部に接した状態が維持される。こうして、ゲームシステム１の充電が行われる。
【０１３７】
＜３−２．角度の調整方法＞
続いて、スタンド部材の角度の調整方法について、図２６及び図２７も参照しつつ説明する。図２６及び図２７は、スタンド部材の角度の調整方法を示す断面図である。スタンド部材１３０の角度の調整は、スタンド部材１３０を手４００で持って回動させることで行ってもよいし、あるいは、次のように角度の調整を行うこともできる。まず、図２６に示す状態において、ゲームシステム１の両側、つまり左右のコントローラ３，４を手で把持した状態で、ゲームシステム１を介してハウジング１００を設置面Ｄに押しつけながら、ゲームシステムの上端部を後方に傾ける。これにより、ハウジング１００の下面７２２の滑り止め部材７３１が支点となって、ハウジング１００が後方に傾斜する。これに伴い、スタンド部材１３０の下端部１３１が設置面Ｄを滑り、スタンド部材１３０の下端部１３１とハウジング１００の下面７２２との距離が広がっていく。すなわち、図２７に示すように、スタンド部材１３０は、ハウジング１００に対して角度が広がるように回動していく。これにより、ハウジング１００の傾きを調整することができる。このとき、ハウジング１００の下面７２２の滑り止め部材７３１が支点となるため、ハウジング１００は設置面Ｄ上を滑らず、スタンド部材１３０のみが滑り、角度が広がっていく。こうして、スタンド部材１３０が所望の角度になるまでゲームシステム１を押圧する。その後、ゲームを行うこともできる。
【０１３８】
なお、本実施形態に係るゲームシステムは、コントローラ３，４が本体装置２から取り外すことができるため、本体装置２のみを充電装置１０００に配置し、コントローラ３，４を片方の手で持った状態で、もう片方の手で上記のようにハウジング１００の角度を調整することもできる。
【０１３９】
＜３−３．ゲームシステムの取り外し方法＞
ゲームシステム１を充電装置１０００から取り外すには、ゲームシステム１をコネクタ１２２の延びる方向に沿って上方に引き上げればよいが、次のようにすることもできる。すなわち、ゲームシステム１の上端を前方に傾斜させながら、コネクタ１２２から引き抜くこともできる。例えば、図２８に示すように、ゲームシステム１の上端部を把持して、前方に傾斜させると、ゲームシステム１の前面と下面との境界部分（すなわち、ゲームシステム１の前面と下面との交差部分）である角部１５０が基台部７１の上面（支持面）の一部と当接し、当該角部１５０が支点となって傾斜する。このような支点を中心として傾斜することにより、ゲームシステム１は、滑ることなく安定的に傾斜する（回動する）。これに伴い、コネクタ支持体１２０は、軸部１２７を中心に前方に回動する。すなわち、ゲームシステム１にはコネクタ１２２が挿入されているため、コネクタ１２２はゲームシステム１とともに傾斜し、これに伴ってコネクタ支持体１２０が回動する。このとき、コネクタ支持体１２０は、基台部７１の上面７１１からコネクタ１２２が沈むように回動する。そのため、コネクタ１２２は、ゲームシステム１の傾斜に伴って、メス側コネクタ２７から徐々に抜け出していく。
【０１４０】
そして、ゲームシステム１の傾斜が進むと、図２９に示すように、コネクタ１２２が、メス側コネクタ２７から概ね抜け出すため、ゲームシステム１をさらに傾斜させると、コネクタ１２２がメス側コネクタ２７にほとんど引っかかることなく、ゲームシステム１を充電装置１０００から取り外すことができる。
【０１４１】
＜４．特徴＞
本実施形態に係る充電装置によれば、以下の効果を得ることができる。
（１）コネクタ支持体１２０は、コネクタ１２２よりも後方の軸部１２７を回動中心として回動するため、コネクタ１２２は上端部が前方に倒れるように傾斜しつつ、下方に移動するように構成されている。したがって、ゲームシステム１がコネクタ１２２に挿入された状態から、ユーザがゲームシステム１を前方に傾斜させながら、充電装置１０００から取り外そうとすると、コネクタ１２２は、ゲームシステム１とともに傾斜しつつ、メス側コネクタ２７から離脱していく。したがって、ゲームシステム１を前方に傾けながら充電装置１０００から取り外そうとした場合でも、コネクタ１２２に不要な負荷がかかる可能性を低減することができる。
【０１４２】
（２）コネクタ１２２よりも後方に配置された対向面１２９１が、コネクタ１２２の突出方向と平行であるため、メス側コネクタ２７にコネクタ１２２を挿入する際、ゲームシステム１の溝部２９の底面２９１を対向面１２９１によって上下方向にガイドすることができる。このとき、コネクタ１２２と対向面１２９１との間の距離が、メス側コネクタ２７と溝部２９の底面２９１との距離に対応しているため、メス側コネクタ２７に対するコネクタ１２２の前後方向の位置決めを容易に行うことができる。したがって、ゲームシステム１をコネクタ１２２と平行に下方に移動させることができるため、コネクタ１２２の挿入を容易に行うことができる。さらに、コネクタ１２２と第２部位１２５の前面との距離も、メス側コネクタ２７とゲームシステム１の背面との距離に対応しているため、この点も、ゲームシステム１の前後方向の位置決めに寄与し、コネクタ１２２の挿入を容易にする。
【０１４３】
また、コネクタ１２２がメス側コネクタ２７に挿入されると、挿入の過程でコネクタ１２２に力が作用し、コネクタ１２２が回動する可能性がある。このように、コネクタ１２２が回動してしまうと、コネクタ１２２がメス側コネクタ２７の内部に引っかかり、挿入がスムーズに行えない可能性がある。しかしながら、本実施形態では、コネクタ１２２の挿入時にコネクタ１２２が回動しそうになると、コネクタ１２２の背面１２２１と平行な対向面１２９１がゲームシステム１の溝部２９に当接し、コネクタ１２２の回動を規制する。したがって、コネクタ１２２の挿入をスムーズに行うことができる。
【０１４４】
また、ガイド部１２９もコネクタ支持体１２０に設けられているため、ガイド部１２９はコネクタ１２２とともに回動可能となっている。そのため、例えば、コネクタ１２２の挿入直前に、ゲームシステム１に押されてコネクタ１２２が回動したとしても、コネクタ１２２と対向面１２９１との位置関係は変化しない。したがって、対向面１２９１に合わせるようにゲームシステム１を移動させれば、コネクタ１２２が回動したとしても、コネクタ１２２をメス側コネクタ２７に容易に挿入することができる。
【０１４５】
さらに、ガイド部１２９の両側面１２９２は、溝部２９内の両側面２９２に当接するように構成されているため、ガイド部１２９によって、ゲームシステム１の左右方向の位置決め（ガイド）も行うことができる。したがって、これによっても、ゲームシステム１のメス側コネクタ２７へのコネクタ１２２の挿入を容易に行うことができる。
【０１４６】
（３）上記実施形態では、コネクタ１２２がメス側コネクタ２７に挿入されるとき、コネクタ１２２がメス側コネクタ２７の奥端部に接した後に、ゲームシステムの重量などにより、コネクタ１２２が回動してゲームシステム１の下面が基台部７１の上面７１１に接するように構成されている。したがって、例えば、コネクタ１２２とメス側コネクタ２７とが通電する際の有効嵌合長が短い場合でも、コネクタ１２２とメス側コネクタ２７とを確実に通電させることができる。
【０１４７】
特に、コネクタ支持体１２０は、バネ１２８によって上方に押し上げられているため、コネクタ１２２の先端がメス側コネクタ２７の奥端部に接した状態が維持される。よって、コネクタ１２２とメス側コネクタ２７との通電状態を維持することができる。
【０１４８】
（４）コネクタ１２２と通電する第１基板の後端部からＦＦＣ７９が延び、さらに第１基板１２３１の後端部近傍に軸部１２７が位置している。すなわち、コネクタ１２２とＦＦＣ７９との接続部分付近に回動中心である軸部１２７が位置しているため、第１基板１２３１が回動しても、第１基板１２３１とＦＦＣ７９との接続部分はほとんど移動しない。したがって、ＦＦＣ７９が過度に動いて、第１基板１２３１から外れるなどの不具合を低減することができる。
【０１４９】
なお、ＦＦＣ７９の接続位置は特には限定されず、第１基板１２３１に直接接続されてもよいし、他の接続部材を介して第１基板１２３１の後端部に接続されてもよい。
【０１５０】
（５）ハウジング１００の基台部７１の上面７１１の前端及び延在部７２の前面７２１の上端を結ぶ仮想面Ｚから、コネクタ１２２が突出しないように配置されているため、例えば、図３０に示すように、ハウジング１００を、基台部７１の上面７１１側が設置面Ｄを向くように配置した場合、コネクタ１２２は、設置面Ｄに接触しない。したがって、ハウジング１００を図３０のように設置した場合でも、コネクタ１２２が設置面Ｄに接触して損傷するのを抑制することができる。
【０１５１】
（６）スタンド部材１３０はハウジング１００から離脱するように構成されているため、スタンド部材１３０の角度を無理に広げようとした場合、あるいは、誤って充電装置を踏んでしまった場合、スタンド部材１３０やハウジング１００が損傷する可能性を低減することができる。例えば、図３１の状態からハウジングの上端を踏んだ場合、その押圧力によって、スタンド部材１３０は、ハウジング１００との角度が広がるように回動していく。そして、回動の角度が大きくなり、スタンド部材１３０の上端１３３がハウジング１００の上面７２４に接すると、スタンド部材１３０はこれ以上回動できなくなる。そして、スタンド部材１３０の回動角度をさらに広げるように力が作用すると、スタンド部材１３０の上端部が支点となってスタンド部材１３０は回動し、これに伴って、スタンド部材１３０の固定片１４１が第２固定部７７２の枠部材７７３から離脱する。
【０１５２】
したがって、ハウジング１００に上記のような強い力が作用したときには、スタンド部材１３０がハウジング１００から離脱するため、スタンド部材１３０や、ハウジング１００とスタンド部材１３０との連結部分が割れるなどの損傷の可能性を低減することができる。そして、スタンド部材１３０がハウジング１００から離脱しても、再び簡単に取り付けることができる。
【０１５３】
（７）連結機構の支持部材７５及び回動部材７７は、トルクヒンジ７６により連結され、繰り返し回動するため、剛性の高い材料で形成することができる。このような剛性の高い材料としては、例えば、ガラス繊維をポリアミド樹脂、ポリカーボネートなどの樹脂に混合した樹脂材料がある。したがって、このような材料で、支持部材７５及び回動部材７７を形成すれば、これらの部材７５，７７の損傷の可能性を低減することができる。但し、このような材料は、塗装などの着色が容易ではないため、美観の高い外観にできないおそれがある。そこで、支持部材及７５及び回動部材７７のみを剛性の高い材料で形成し、外部に露出するハウジング１００やスタンド部材１３０を形成する材料は、ＡＢＳ樹脂、ポリカーボネート等、剛性は多少低いが、比較的美観の高い材料を用いることができる。これにより、支持部材及７５及び回動部材７７は、上記のようにハウジング１００内に収容し、外部には一部しか露出しないようにしているため、ハウジング１００の美観が低下するのを抑制している。なお、支持部材７５や回動部材７７を構成する剛性の高い材料としては、例えば、金属材料を採用することができる。
【０１５４】
＜５．変形例＞
以上、本発明の実施形態について説明したが、本発明は上記各実施形態に限定されるものではなく、その趣旨を逸脱しない限りにおいて、種々の変更が可能である。例えば、以下の変更が可能である。また、以下の変形例は、適宜組み合わせることができる。
【０１５５】
（１）ハウジング１００の形状は特には限定されず、上記実施形態の形状は一例である。したがって、ゲームシステム１を載置できるように形成であれば、上述した側面視Ｌ字状以外の形状であってもよく、あるいは、単に基台部と延在部とが交差するような形状など、種々の形状にすることができる。また、スタンド部材１３０は必ずしも必要ではなく、ハウジング１００が設置面に設置できればよい。
【０１５６】
（２）コネクタ支持体１２０に設けられるガイド部１２９の構成は、特には限定されない。例えば、図３２に示すように、ガイド部１２９の突出高さが小さい場合には、ガイド部１２９の前面は、溝部２９の底面２９１に接しないため、本発明の対向面としての機能を奏さない。
【０１５７】
この場合には、第２部位１２５の前面（ガイド部１２９が取り付けられている面）を、本発明の対向面とすることができ、コネクタ１２２に対するゲームシステム１の前後方向の位置決め等を行うことができる。すなわち、コネクタ１２２がメス側コネクタ２７に挿入された場合には、第２部位１２５の前面がゲームシステム１の背面と対向するようになっている。但し、突出高さが低いガイド部１２９であっても、依然、溝部２９の側面２９２には当接するため、左右方向の位置決め（ガイド）には用いられることになる。
【０１５８】
また、ガイド部は、上記のような対向面１２９１を有するものでなくてもよく、単に、コネクタ１２２がメス側コネクタ２７に挿入するのをガイドするような各種の構成（凹部、凸部、溝など）であればよい。そして、このようなガイド部がコネクタ１２２とともに回動するように構成することもできる。
【０１５９】
（３）上記実施形態では、コネクタ支持体１２０にコネクタ１２２が支持され、コネクタ１２２が回動するように構成されている。すなわち、このコネクタ支持体１２０においてコネクタ１２２を回動させる部分が、本発明の回動機構に相当する。但し、コネクタ１２２を回動させる構成は特には限定されない。上記実施形態では、コネクタ支持体１２０の本体部１２１が回動するように構成され、コネクタ１２２は第１基板１２３１に支持され、第１基板１２３１が本体部１２１に固定されている。しかし、これ以外の構成として、例えば、コネクタ１２２が固定された部材をハウジング１００に対して回動するように取り付けることもできる。
【０１６０】
また、回動中心（軸部１２７）の位置は、コネクタ１２２よりも後方であればよく、必ずしも初期位置においてコネクタ１２２においてハウジング１００の外部に突出している部分よりも下方でなくてもよく、特には限定されない。例えば、コネクタ１２２においてハウジング１００の外部に突出している部分よりも上方に回動中心（第１軸線）があってもよい。また、回動中心は、ハウジング１００の外部に配置されていてもよい。さらに、回動中心は、上記実施形態のような軸部１２７であってもよいし、あるいは、部材としての回動中心を設けず、例えば、部材と部材との連結部分が回動中心となり、折れ曲がるように回動するように構成したり、または、レールなどによって回動するように構成されていてもよい。
【０１６１】
また、上記実施形態では、コネクタ１２２を本体部１２１、第１基板１２３１、ＦＦＣ７９とともに回動するように構成しているが、少なくともコネクタのみが回動するように構成されていればよい。したがって、コネクタのみを支持する部材によって回動するようになっていてもよい。この場合、第１基板は、ＦＰＣ，導線などによってコネクタと接続してもよいし、第１基板１２３１を省略して、コネクタ１２２と他の基板、または外部端子７８とを接続することもできる。
【０１６２】
また、コネクタ支持体１２０は、バネ（弾性部材）１２８を有しているが、これに限定されず、コネクタ１２２を上記初期位置に向けて付勢できるのであれば、他の部材であってもよい。
【０１６３】
（４）上記実施形態では、図２４に示すように、コネクタ１２２の挿入の過程で、コネクタ１２２の先端がメス側コネクタ２７の奥端部に接したとき、ゲームシステム１の下面と基台部７１の上面７１１との間に隙間Ｋが形成されるようにしているが、これに限定されるものではない。すなわち、コネクタ１２２の先端がメス側コネクタ２７の奥端部に接したとき、ゲームシステム１の下面と基台部７１の上面７１１が接してもよい。あるいは、有効嵌合長にもよるが、コネクタ１２２の先端がメス側コネクタ２７の奥端部に接する前に、ゲームシステム１の下面と基台部７１の上面７１１が接してもよい。
【０１６４】
（５）上記実施形態では、本発明に係る通電装置を充電装置とした例について説明したが、電子機器の充電以外にも使用することができる。すなわち、ハウジング１００内の基板１２３１、７８１を適宜交換することで、外部装置と電気的に接続することができる。例えば、ゲームシステム１のディスプレイで表示させる画像を、外部端子７８を介して接続した外部のディスプレイ装置で表示させることができる。また、単に給電を行うための給電装置であってもよい。このように、本発明に係る通電装置は、電子機器に対する充電以外の種々の目的の通電に用いることができる。
【０１６５】
したがって、ハウジング１００内の電気構造についても特には限定されない。例えば、外部端子７８の構造も特には限定されず、オス型の種々の端子であってもよい。また、第２基板７８１の位置、形状も特には限定されない。また、第１基板１２３１とＦＦＣ７９のみで構成し、外部端子７８とＦＦＣ７９とを接続することもできる。また、ＦＦＣと第１基板との接続位置も上記のように後端部であれば、有利であるが、他の位置でもよい。さらに、ＦＦＣ７９に限られず、種々の形状のケーブルを用いることもできる。さらに、
【０１６６】
（６）また、上記実施形態で説明したゲームシステム１は、一例であり、他のゲームシステムであってもよい。また、ゲームシステム以外の各種の電子機器に対して、通電を行うことができる。すなわち、本発明が対象とする電子機器は、コネクタ挿入口が形成された所定面を有していればよく、特には限定されない。
【０１６７】
（７）上記実施形態の充電装置１０００は、コネクタ１２２、基板１２３１等の電子部品ほか、コネクタ支持体１２０を取り外しても、機器の支持装置として使用することもできる。すなわち、少なくとも、上述したハウジング１００、スタンド部材１３０、及び連結機構を有すれば、種々の機器の支持装置として使用することができる。この場合、スタンド部材１３０を無理に取り外そうとしたときに、スタンド部材１３０が離脱するように構成されているため、スタンド部材１３０の損傷の可能性を低減できるという利点を有する支持装置として使用することができる。この場合、支持装置に支持されるのは、電子機器でなくてもよく、各種の機器を支持することができる。支持装置は、例えば、以下のように表すことができる。
【０１６８】
この支持装置は、機器を支持する支持装置であって、
前記機器を載置可能な前部、及び前記前面部とは反対側の後部を有するハウジングと、
前記ハウジングの後部側に取り付けられたスタンド部材と、
前記ハウジングに対して前記スタンド部材を、水平に延びる軸線周りに回動するように着脱自在に連結し、前記スタンド部材と前記ハウジングとの角度を調整可能とする連結機構と、
を備え、
前記連結機構は、前記スタンド部材と前記ハウジングとの間の角度が所定角度以上となったときに、前記スタンド部材が前記ハウジングから離脱するように構成されている。
【０１６９】
この構成により、例えば、ハウジングに対するスタンド部材の角度を無理に広げようとしたとき、その角度が所定角度以上になると、スタンド部材がハウジングから離脱するため、スタンド部材やハウジングが損傷する可能性を低減することができる。その一方で、スタンド部材が離脱しても、その後、スタンド部材をハウジングに再び取り付けて使用することができる。  
【０１７０】
（８）連結機構の構成も特には限定されず、スタンド部材１３０がハウジング１００に対して回動し、さらに所定角度以上となったときに離脱するように構成されていればよい。
【符号の説明】
【０１７１】
１  ゲームシステム（電子機器）
２７  メス側コネクタ（コネクタ挿入口）
２９  溝部（凹部）
７１  基台部
７１１  上面(支持面または基台部の面)
７２  延在部
７５  支持部材（第１部位）
７６  トルクヒンジ（ヒンジ部）
７７  回動部材（第２部位）
１００  ハウジング
１２０  コネクタ支持体（回動機構）
１３０  スタンド部材
１２２  コネクタ
１２３１  第１基板（基板）
１２８  バネ（弾性部材）
１２９１  対向面
１４１  固定片（固定部）
１４４  突出片（係合部）
７９  フレキシブルフラットケーブル（ケーブル）
【図１】
2019154147.tif 000003
【図２】
2019154147.tif 000004
【図３】
2019154147.tif 000005
【図４】
2019154147.tif 000006
【図５】
2019154147.tif 000007
【図６】
2019154147.tif 000008
【図７】
2019154147.tif 000009
【図８】
2019154147.tif 000010
【図９】
2019154147.tif 000011
【図１０】
2019154147.tif 000012
【図１１】
2019154147.tif 000013
【図１２】
2019154147.tif 000014
【図１３】
2019154147.tif 000015
【図１４】
2019154147.tif 000016
【図１５】
2019154147.tif 000017
【図１６】
2019154147.tif 000018
【図１７】
2019154147.tif 000019
【図１８】
2019154147.tif 000020
【図１９】
2019154147.tif 000021
【図２０】
2019154147.tif 000022
【図２１】
2019154147.tif 000023
【図２２】
2019154147.tif 000024
【図２３】
2019154147.tif 000025
【図２４】
2019154147.tif 000026
【図２５】
2019154147.tif 000027
【図２６】
2019154147.tif 000028
【図２７】
2019154147.tif 000029
【図２８】
2019154147.tif 000030
【図２９】
2019154147.tif 000031
【図３０】
2019154147.tif 000032
【図３１】
2019154147.tif 000033
【図３２】
2019154147.tif 000034
【手続補正書】
【提出日】平成31年3月1日(2019.3.1)
【手続補正１】
【補正対象書類名】特許請求の範囲
【補正対象項目名】全文
【補正方法】変更
【補正の内容】
【特許請求の範囲】
【請求項１】
コネクタ挿入口が形成された所定面を有する電子機器を支持し、当該電子機器と通電を行うことが可能な通電装置であって、
前側及び後側を有するハウジングと、
前記ハウジングから突出し、前記コネクタ挿入口に挿入可能なコネクタと、
前記コネクタよりも前記後側に位置する第１軸線周りに、当該コネクタを回動させる回動機構と、
を備え、
前記回動機構は、前記コネクタ挿入口に挿入された状態の前記コネクタを回動可能に構成されている、通電装置。
【請求項２】
前記回動機構は、
前記コネクタが前記電子機器の前記コネクタ挿入口に挿入されている場合において、前記所定面の後端から延びる当該電子機器の背面に対向する対向面をさらに備え、
前記対向面は、前記コネクタよりも前記後側に配置され、前記コネクタの突出方向と実質的に平行に延びる、請求項１に記載の通電装置。
【請求項３】
前記対向面は、前記回動機構によって、前記コネクタとともに回動可能に構成されている、請求項２に記載の通電装置。
【請求項４】
前記電子機器は、
前記所定面及び前記背面の交差部分から、上方に延びる凹部を有し、
前記回動機構は、
前記対向面を有し、前記凹部に少なくとも一部が挿入可能なガイド部を備える、請求項２または３に記載の通電装置。
【請求項５】
前記電子機器は、
前記所定面及び前記背面の交差部分から、上方に延びる凹部を有し、
前記回動機構は、
前記対向面から前記前側に突出し、前記凹部に少なくとも一部が挿入可能なガイド部を有する、請求項２または３に記載の通電装置。
【請求項６】
前記コネクタと通電する基板と、
前記基板における前記後側の後端部から延びるケーブルと、
をさらに備えており、
前記基板は、前記回動機構により、前記コネクタとともに回動可能に支持されており、
前記第１軸線は、前記基板の後端部近傍に位置している、請求項１から５のいずれかに記載の通電装置。
【請求項７】
前記回動機構は、前記コネクタ挿入口に対する前記コネクタの挿入方向に向かって、前記コネクタを付勢するように構成された弾性部材を備えている、請求項１から６のいずれかに記載の通電装置。
【請求項８】
前記電子機器は、前記所定面の前端から延びる前面を有しており、
前記ハウジングは、前記電子機器の所定面と対向する支持面を有し、
前記支持面は、前記コネクタ挿入口に挿入された前記コネクタを当該コネクタ挿入口から取り外す場合に、前記電子機器の前記所定面及び前記前面の交差部分が当接可能に構成されている、請求項１から７のいずれかに記載の通電装置。
【請求項９】
前記ハウジングは、
前記電子機器の所定面と対向する面を有する基台部と、
前記基台部の前記面から延びる前面を有する延在部と、
を有し、
前記基台部と前記延在部とが側面視で交差するように構成され、
前記コネクタが、前記基台部の前記面の前端と前記前面の上端とを結ぶ仮想面よりも前記ハウジング側に配置されている、請求項１から７のいずれかに記載の通電装置。
【請求項１０】
前記基台部と前記延在部とは、側面視でＬ字状をなすように構成されている、請求項９に記載の通電装置。
【請求項１１】
前記ハウジングは、
前記電子機器の所定面と対向する面を有する基台部と、
前記基台部の前記面から延びる前面、及び当該前面とは反対側の背面を有する延在部と、
を備え、
前記通電装置は、
前記延在部の背面側に取り付けられたスタンド部材と、
前記ハウジングに対して前記スタンド部材を、第２軸線周りに回動可能に連結し、前記スタンド部材と前記ハウジングとの角度を調整可能とする連結機構と、
をさらに備えている、請求項１から１０のいずれかに記載の通電装置。
【請求項１２】
前記連結機構は、
前記スタンド部材と前記ハウジングとを着脱自在に連結し、
前記スタンド部材と前記ハウジングとの間の角度が所定角度以上となったときに、前記スタンド部材を前記ハウジングから離脱するように構成されている、請求項１１に記載の通電装置。
【請求項１３】
前記スタンド部材には、当該スタンド部材と前記ハウジングとの間の角度が前記所定角度となった場合、前記第２軸線より上方の部位が、前記ハウジングに当接するように構成されている、請求項１２に記載の通電装置。
【請求項１４】
前記連結機構は、
前記ハウジングに設けられた連結部と、
前記スタンド部材に設けられ、前記連結部の前記第２軸線方向における両端部を挟むように、当該連結部に着脱可能に固定される一対の固定部と、
を備えている、請求項１１から１３のいずれかに記載の通電装置。
【請求項１５】
前記連結機構は、前記スタンド部材において、前記一対の固定部の間に設けられ、前記連結部に係合可能な係合部をさらに備えている、請求項１４に記載の通電装置。
【請求項１６】
前記各固定部及び前記連結部の固定状態において、互いに接する部分の少なくとも一方には、傾斜部が形成されており、
前記各固定部及び前記連結部は、前記傾斜部をスライドした後、固定状態となるように構成されている、請求項１４または１５に記載の通電装置。
【請求項１７】
前記連結機構は、
前記延在部に設けられる第１部位と、
前記連結部を有する第２部位と、
前記第１部位と前記第２部位とを連結し、当該前記第１部位及び第２部位を互いに前記第２軸線周りに回動可能とするヒンジ部と、
を備えている、請求項１４から１６のいずれかに記載の通電装置。
【請求項１８】
前記第１部位及び第２部位を形成する材料は、前記ハウジングを形成する材料よりも剛性が高い、請求項１７に記載の通電装置。
【請求項１９】
前記第１部位及び第２部位は、ガラス繊維を含む樹脂材料で形成され、少なくとも一部が前記ハウジングに収容されている、請求項１８に記載の通電装置。
【請求項２０】
前記電子機器のコネクタ挿入口に前記コネクタが挿入された場合に、前記電子機器の充電が可能であるように構成されている、請求項１から１９のいずれかに記載の通電装置。
【請求項２１】
コネクタ挿入口が形成された所定面を有する電子機器を支持し、当該電子機器と通電を行うことが可能な通電装置であって、
前側及び後側を有するハウジングと、
前記ハウジングから突出し、前記コネクタ挿入口に挿入可能なコネクタと、
前記コネクタよりも前記後側に位置する第１軸線周りに、当該コネクタを回動させる回動機構と、
を備え、
前記ハウジングは、
前記電子機器の所定面と対向する面を有する基台部と、
前記基台部の前記面から延びる前面、及び当該前面とは反対側の背面を有する延在部と、
を備え、
前記通電装置は、
前記延在部の背面側に取り付けられたスタンド部材と、
前記ハウジングに対して前記スタンド部材を、第２軸線周りに回動可能に連結し、前記スタンド部材と前記ハウジングとの角度を調整可能とする連結機構と、
をさらに備えている、通電装置。
【請求項２２】
前記回動機構は、
前記コネクタが前記電子機器の前記コネクタ挿入口に挿入されている場合において、前記所定面の後端から延びる当該電子機器の背面に対向する対向面をさらに備え、
前記対向面は、前記コネクタよりも前記後側に配置され、前記コネクタの突出方向と実質的に平行に延びる、請求項２１に記載の通電装置。
【請求項２３】
前記対向面は、前記回動機構によって、前記コネクタとともに回動可能に構成されている、請求項２２に記載の通電装置。
【請求項２４】
前記電子機器は、
前記所定面及び前記背面の交差部分から、上方に延びる凹部を有し、
前記回動機構は、
前記対向面を有し、前記凹部に少なくとも一部が挿入可能なガイド部を備える、請求項２２または２３に記載の通電装置。
【請求項２５】
前記電子機器は、
前記所定面及び前記背面の交差部分から、上方に延びる凹部を有し、
前記回動機構は、
前記対向面から前記前側に突出し、前記凹部に少なくとも一部が挿入可能なガイド部を有する、請求項２２または２３に記載の通電装置。
【請求項２６】
前記コネクタと通電する基板と、
前記基板における前記後側の後端部から延びるケーブルと、
をさらに備えており、
前記基板は、前記回動機構により、前記コネクタとともに回動可能に支持されており、
前記第１軸線は、前記基板の後端部近傍に位置している、請求項２１から２５のいずれかに記載の通電装置。
【請求項２７】
前記回動機構は、前記コネクタ挿入口に対する前記コネクタの挿入方向に向かって、前記コネクタを付勢するように構成された弾性部材を備えている、請求項２１から２６のいずれかに記載の通電装置。
【請求項２８】
前記電子機器は、前記所定面の前端から延びる前面を有しており、
前記ハウジングは、前記電子機器の所定面と対向する支持面を有し、
前記支持面は、前記コネクタ挿入口に挿入された前記コネクタを当該コネクタ挿入口から取り外す場合に、前記電子機器の前記所定面及び前記前面の交差部分が当接可能に構成されている、請求項２１から２７のいずれかに記載の通電装置。
【請求項２９】
前記ハウジングは、
前記電子機器の所定面と対向する面を有する基台部と、
前記基台部の前記面から延びる前面を有する延在部と、
を有し、
前記基台部と前記延在部とが側面視で交差するように構成され、
前記コネクタが、前記基台部の前記面の前端と前記前面の上端とを結ぶ仮想面よりも前記ハウジング側に配置されている、請求項２１から２７のいずれかに記載の通電装置。
【請求項３０】
前記基台部と前記延在部とは、側面視でＬ字状をなすように構成されている、請求項２９に記載の通電装置。
【請求項３１】
前記連結機構は、
前記スタンド部材と前記ハウジングとを着脱自在に連結し、
前記スタンド部材と前記ハウジングとの間の角度が所定角度以上となったときに、前記スタンド部材を前記ハウジングから離脱するように構成されている、請求項２１から３０のいずれかに記載の通電装置。
【請求項３２】
前記スタンド部材には、当該スタンド部材と前記ハウジングとの間の角度が前記所定角度となった場合、前記第２軸線より上方の部位が、前記ハウジングに当接するように構成されている、請求項３１に記載の通電装置。
【請求項３３】
前記連結機構は、
前記ハウジングに設けられた連結部と、
前記スタンド部材に設けられ、前記連結部の前記第２軸線方向における両端部を挟むように、当該連結部に着脱可能に固定される一対の固定部と、
を備えている、請求項２１から３２のいずれかに記載の通電装置。
【請求項３４】
前記連結機構は、前記スタンド部材において、前記一対の固定部の間に設けられ、前記連結部に係合可能な係合部をさらに備えている、請求項３３に記載の通電装置。
【請求項３５】
前記各固定部及び前記連結部の固定状態において、互いに接する部分の少なくとも一方には、傾斜部が形成されており、
前記各固定部及び前記連結部は、前記傾斜部をスライドした後、固定状態となるように構成されている、請求項３３または３４に記載の通電装置。
【請求項３６】
前記連結機構は、
前記延在部に設けられる第１部位と、
前記連結部を有する第２部位と、
前記第１部位と前記第２部位とを連結し、当該前記第１部位及び第２部位を互いに前記第２軸線周りに回動可能とするヒンジ部と、
を備えている、請求項３３から３５のいずれかに記載の通電装置。
【請求項３７】
前記第１部位及び第２部位を形成する材料は、前記ハウジングを形成する材料よりも剛性が高い、請求項３６に記載の通電装置。
【請求項３８】
前記第１部位及び第２部位は、ガラス繊維を含む樹脂材料で形成され、少なくとも一部が前記ハウジングに収容されている、請求項３７に記載の通電装置。
【請求項３９】
前記電子機器のコネクタ挿入口に前記コネクタが挿入された場合に、前記電子機器の充電が可能であるように構成されている、請求項２１から３８のいずれかに記載の通電装置。